(57)【要約】      （修正有）【課題】封入式の遊技機に対応したホールコンピュータへの切り替えをスムーズに行える中継装置を提供する。【解決手段】パルス変換機１００は、台間カード処理機１０からシリアル通信で受け付けた通知をパルス通信に変換してホールコンピュータ９０に通知するようにした。また、台間カード処理機１０との通信障害を検知すると、ホールコンピュータ９０に通信障害の検知を通知し、ホールコンピュータ９０との通信障害を検知すると、台間カード処理機１０に通信障害の検知を通知するようにした。また、ホールコンピュータ９０が台間カード処理機１０からの通知をシリアル通信で受け付けることができるようになった場合にはパルス変換機１００を取り外して台間カード処理機１０とホールコンピュータ３９０をシリアル通信で直接接続するシステム構成に移行する。【選択図】図１
2015142724.tif 000002
【特許請求の範囲】
【請求項１】
遊技店に設置された遊技装置と、前記遊技装置を管理する上位装置と通信可能に接続され、前記遊技装置と前記上位装置との通信を中継する中継装置であって、
複数種の情報の通信を１の通信線で行う第１の情報通信手段と、
複数種の情報の通信を種別ごとの通信線で行う第２の情報通信手段と、
前記遊技装置から遊技に係る遊技情報を受信する受信手段と、
前記遊技情報に基づいて特定される情報を前記上位装置に送信する送信手段と、
前記第１の情報通信手段で通信する情報と前記第２の情報通信手段で通信する情報とを変換する変換手段と
を備えたことを特徴とする中継装置。
【請求項２】
前記第１の情報通信手段は前記遊技装置あるいは前記上位装置の一方との通信を行うものであるとともに、前記第２の情報通信手段は他方と通信を行うものであり、
前記第１の情報通信手段による通信状態が異常となった場合に、前記第２の情報通信手段の通信出力を異常を示すものとする
ことを特徴とする請求項１に記載の中継装置。
【請求項３】
前記第１の情報通信手段あるいは前記第２の情報通信手段の一方による通信状態が異常となった場合に、他方の情報通信手段による通信出力を異常を示すものとすることを特徴とする請求項１または２に記載の中継装置。
【請求項４】
前記受信手段は、複数の前記遊技装置からの遊技に係る遊技情報を受信し、
前記送信手段は、前記受信手段によって受信した遊技情報の送信元の前記遊技装置と、前記受信手段によって受信した遊技に係る遊技情報とに基づいて特定される情報を前記上位装置に送信する
ことを特徴とする請求項１、２又は３に記載の中継装置。
【請求項５】
前記上位装置との通信を前記第１の情報通信手段若しくは前記第２の情報通信手段を使用して行うのかを、前記受信手段によって受け付ける遊技情報の種類ごとに設定するインタフェース設定手段と、
前記受信手段によって受け付けた遊技情報の種類に対応する前記インタフェース設定手段による設定が、前記上位装置との送信を前記第１の情報通信手段を使用して行うとなっている場合には、前記受信手段によって受け付けた遊技情報を、前記第１の情報通信手段を用いて前記上位装置に送信し、前記受信手段によって受け付けた遊技情報の種類に対応する前記インタフェース設定手段による設定が、前記上位装置との送信を前記第２の情報通信手段を使用して行うとなっている場合には、前記受信手段によって受け付けた遊技情報を、前記第２の情報通信手段を用いて前記上位装置に送信するようにインタフェースの切り替えを行うインタフェース切替手段と
をさらに備えたことを特徴とする請求項１〜４のいずれか一つに記載の中継装置。
【請求項６】
前記送信手段は、前記受信手段により受け付けた前記遊技情報に含まれる情報から所定の情報を抽出して、抽出した情報を前記上位装置に送信することを特徴とする請求項１〜５のいずれか一つに記載の中継装置。
【請求項７】
前記受信手段により前記遊技装置から受け付けた遊技に係る前記遊技情報を、前記遊技装置の種類に依存しない共通の形式の情報に変換する情報変換手段をさらに備え、
前記送信手段は、前記情報変換手段によって変換された前記共通の形式の情報に基づく情報を前記上位装置に送信する
ことを特徴とする請求項１〜６のいずれか一つに記載の中継装置。
【請求項８】
遊技店に設置された遊技装置と、前記遊技装置を管理する上位装置とに対して通信可能に接続された中継装置において、前記遊技装置と前記上位装置との通信を中継する通信中継方法であって、
前記遊技装置から遊技に係る遊技情報を情報の種別ごとの通信線によって受信する受信ステップと、
前記受信ステップによって受信した前記遊技情報を情報の種別を含む形式のデータに変更を行う変更ステップと、
前記変更ステップによって変更された形式の前記遊技情報を１の通信線で前記上位装置に送信する送信ステップと
を含んだことを特徴とする通信中継方法。
【発明の詳細な説明】
【技術分野】
【０００１】
この発明は、遊技媒体を用いて遊技を行う遊技機に併設された各台装置から、遊技機及び台間装置の有する情報を上位の装置に送信する際に使用する中継装置及び通信中継方法に関する。
【背景技術】
【０００２】
従来、パチンコ店等の遊技店には、遊技機及び遊技機に併設される台間カード処理機から遊技に係る情報を収集するホールコンピュータと呼ばれる管理装置が設置されている。また、当該ホールコンピュータに収集された遊技に係る情報に基づいて遊技機ごとの稼働状況や売上の管理などを行う技術が知られている。
【０００３】
例えば、特許文献１には、遊技機から所定の打込玉数ごとに通知される打込パルス信号と、所定の賞出玉数ごとに通知される賞出パルス信号と、台間カード処理機から所定の玉数の玉貸処理ごとに通知される玉貸パルス信号とをホールコンピュータが受け付けて、これらを遊技機の識別情報に関連付けて記憶し、遊技客が遊技玉の計数を行う計数機で遊技玉の計数を行ったときに、ホールコンピュータに記憶された遊技機ごとの情報に基づいて、計数した遊技玉が適切であるか否かの判定を行い、適切ではないと判定された場合にはアラート表示を行うという技術が開示されている。
【０００４】
計数した遊技玉が適切であるか否かの判定に関して詳しく説明する。ホールコンピュータは、受け付けたパルス信号の数を遊技機の識別情報ごとにカウントすることによって、遊技機ごとの打込パルス信号の受付数に対応する打込玉数と、賞出パルス信号の受付数に対応する賞出玉数と、貸出パルス信号の受付数に対応する貸玉数とを算出する。さらに、遊技機ごとに「貸玉数−打込玉数＋賞出玉数」を計算することによって遊技機ごとの差玉数を算出する。一方、計数機は、遊技玉の計数時に遊技客が使用していた遊技機の識別情報の入力を受け付けて、遊技玉の計数を開始する。計数機は受け付けた遊技機の識別情報に対応する差玉数をホールコンピュータから取得して、計数した遊技玉数と差玉数との差が所定の範囲内であれば計数した遊技玉数は適切であると判定する。
【０００５】
また、最近になって、他店からの持込玉や異なる貸出レート間の持込玉の問題が顕在化してきたため、かかる持込玉が発生しない封入式の遊技機が注目されている。封入式の遊技機では、遊技客が遊技媒体に触れない構造となっており、遊技媒体を発射可能な数（以下、遊技可能数と言う）はデータとして管理されている。
【先行技術文献】
【特許文献】
【０００６】
【特許文献１】特開２０１３−１０２８０９号公報
【発明の概要】
【発明が解決しようとする課題】
【０００７】
しかしながら、封入式の遊技機の導入後の遊技システムにおいては、遊技機及び台間カード処理機からホールコンピュータへの遊技に係る情報の送信内容が変更あるいは増加する可能性がある。また、情報の送信形式が変更となる可能性もある。ところが、封入式の遊技機の導入タイミングで、既存のホール設備を新形式に対応するものに変更することは、既存の遊技機と併存する可能性や、設備投資のコストを考えると現実的ではない。
【０００８】
この点について、詳しく説明する。通常、遊技店では遊技機の交換を店内の全台をまとめて行うとは限らず、封入式の遊技機の導入についても区画ごとに順次行われていくことが考えられる。つまり、封入式の遊技機と封入式でない遊技機が混在した場合にも対応できる必要がある。また、台間カード処理機とホールコンピュータ間のインタフェースについても、共通のインタフェースがあるわけではないので、遊技機が全て封入式になったとしても、製造元の異なる台間カード処理機が複数種類存在した場合などは、台間カード処理機の種類によって異なるインタフェースに対応しなければならない可能性もある。
【０００９】
これらのことから、封入式の遊技機の導入にあたって、封入式の遊技機に対応したホール設備のみで対応できる状態となるまでの間については、いかにして既存のホールコンピュータが収集している情報に係る機能を提供できるようにするかが重要な課題となっている。
【００１０】
本発明は、上述した従来技術の課題を解決するためのものであって、新たな形式の情報を出力する遊技機の導入にあたり、既存のホール設備が収集している情報を支障なく提供するとともに、遊技機が出力する新たな形式の情報を好適に収集することができる中継装置及び通信中継方法を提供することを目的とする。
【課題を解決するための手段】
【００１１】
上述した課題を解決し、目的を達成するため、本発明は、遊技店に設置された遊技装置と、前記遊技装置を管理する上位装置と通信可能に接続され、前記遊技装置と前記上位装置との通信を中継する中継装置であって、複数種の情報の通信を１の通信線で行う第１の情報通信手段と、複数種の情報の通信を種別ごとの通信線で行う第２の情報通信手段と、前記遊技装置から遊技に係る遊技情報を受信する受信手段と、前記遊技情報に基づいて特定される情報を前記上位装置に送信する送信手段と、前記第１の情報通信手段で通信する情報と前記第２の情報通信手段で通信する情報とを変換する変換手段とを備えたことを特徴とする。
【００１２】
また、本発明は、上記発明において、前記第１の情報通信手段は前記遊技装置あるいは前記上位装置の一方との通信を行うものであるとともに、前記第２の情報通信手段は他方と通信を行うものであり、前記第１の情報通信手段による通信状態が異常となった場合に、前記第２の情報通信手段の通信出力を異常を示すものとすることを特徴とする。
【００１３】
また、本発明は、上記発明において、前記第１の情報通信手段あるいは前記第２の情報通信手段の一方による通信状態が異常となった場合に、他方の情報通信手段による通信出力を異常を示すものとすることを特徴とする。
【００１４】
また、本発明は、上記発明において、前記受信手段は、複数の前記遊技装置からの遊技に係る遊技情報を受信し、前記送信手段は、前記受信手段によって受信した遊技情報の送信元の前記遊技装置と、前記受信手段によって受信した遊技に係る遊技情報とに基づいて特定される情報を前記上位装置に送信することを特徴とする。
【００１５】
また、本発明は、上記発明において、前記上位装置との通信を前記第１の情報通信手段若しくは前記第２の情報通信手段を使用して行うのかを、前記受信手段によって受け付ける遊技情報の種類ごとに設定するインタフェース設定手段と、前記受信手段によって受け付けた遊技情報の種類に対応する前記インタフェース設定手段による設定が、前記上位装置との送信を前記第１の情報通信手段を使用して行うとなっている場合には、前記受信手段によって受け付けた遊技情報を、前記第１の情報通信手段を用いて前記上位装置に送信し、前記受信手段によって受け付けた遊技情報の種類に対応する前記インタフェース設定手段による設定が、前記上位装置との送信を前記第２の情報通信手段を使用して行うとなっている場合には、前記受信手段によって受け付けた遊技情報を、前記第２の情報通信手段を用いて前記上位装置に送信するようにインタフェースの切り替えを行うインタフェース切替手段とをさらに備えたことを特徴とする。
【００１６】
また、本発明は、上記発明において、前記送信手段は、前記受信手段により受け付けた前記遊技情報に含まれる情報から所定の情報を抽出して、抽出した情報を前記上位装置に送信することを特徴とする。
【００１７】
また、本発明は、上記発明において、前記受信手段により前記遊技装置から受け付けた遊技に係る前記遊技情報を、前記遊技装置の種類に依存しない共通の形式の情報に変換する情報変換手段をさらに備え、前記送信手段は、前記情報変換手段によって変換された前記共通の形式の情報に基づく情報を前記上位装置に送信することを特徴とする。
【００１８】
また、本発明は、遊技店に設置された遊技装置と、前記遊技装置を管理する上位装置とに対して通信可能に接続された中継装置において、前記遊技装置と前記上位装置との通信を中継する通信中継方法であって、前記遊技装置から遊技に係る遊技情報を情報の種別ごとの通信線によって受信する受信ステップと、前記受信ステップによって受信した前記遊技情報を情報の種別を含む形式のデータに変更を行う変更ステップと、前記変更ステップによって変更された形式の前記遊技情報を１の通信線で前記上位装置に送信する送信ステップとを含んだことを特徴とする。
【発明の効果】
【００１９】
本発明によれば、複数種の情報の通信を１の通信線で行い、複数種の情報の通信を種別ごとの通信線で行い、遊技装置から遊技に係る遊技情報を受信し、遊技情報に基づいて特定される情報を上位装置に送信し、１の通信線で通信する情報と種別ごとの通信線で通信する情報とを変換するよう構成したので、新たな形式の情報を出力する遊技機の導入にあたり、既存のホール設備が収集している情報を支障なく提供するとともに、遊技機が出力する新たな形式の情報を好適に収集することができる。
【図面の簡単な説明】
【００２０】
【図１】図１は、封入式の遊技機の導入後におけるホールコンピュータの世代ごとの台間カード処理機との接続構成の概要を説明するための説明図である。
【図２】図２は、実施例１に係る遊技機、台間カード処理機及びホールコンピュータを含む遊技システムのシステム構成を示す図である。
【図３】図３は、図２に示した台間カード処理機及び遊技機の実施例１に係る内部構成を示すブロック図である。
【図４】図４は、図２に示した台間カード処理機の実施例１に係るデータ構成について説明するための説明図である。
【図５】図５は、図２に示したパルス変換機の実施例１に係る内部構成を示すブロック図である。
【図６】図６は、図２に示したパルス変換機の実施例１に係るデータ構成について説明するための説明図である。
【図７】図７は、図２に示した台間カード処理機と、その背面に取り付けられたパルス変換機とを含む装置の外観構成を示す斜視図である。
【図８】図８は、図７に示したパルス変換機が取り付けられた台間カード処理機の正面、底面及び右側面から見た図である。
【図９】図９は、図７に示したパルス変換機が取り付けられた台間カード処理機の背面から見たときの外観構成を示す図である。
【図１０】図１０は、電源ボックスが台間カード処理機の筐体内に収められている場合のパルス変換機が取り付けられた台間カード処理機の背面から見たときの外観構成を示す図である。
【図１１】図１１は、図２に示した台間カード処理機とパルス変換機との間で通信障害が発生した時の処理内容を説明するための説明図である。
【図１２】図１２は、図２に示したホールコンピュータとパルス変換機との間で断線が発生した時の処理内容を説明するための説明図である。
【図１３】図１３は、図２に示したパルス変換機における実施例１に係る台間カード処理機からの遊技に係る情報の受信時の処理手順を示すフローチャートである。
【図１４】図１４は、図１１及び図１２に示したパルス変換機における実施例１に係る通信障害検知時の処理手順を示すフローチャートである。
【図１５】図１５は、台間カード処理機及び遊技機の実施例２に係る内部構成を示すブロック図である。
【図１６】図１６は、台間カード処理機の実施例２に係るデータ構成について説明するための説明図である。
【図１７】図１７は、パルス変換機の実施例２に係る内部構成を示すブロック図である。
【図１８】図１８は、パルス変換機の実施例２に係るデータ構成について説明するための説明図である。
【図１９】図１９は、台間カード処理機の背面の外観構成とパルス変換機の外観構成を示す図である。
【図２０】図２０は、図１９に示した台間カード処理機の背面に露出しているケーブル類及びパルス変換機を収納することのできるノイズ防止カバーの構成を説明するための説明図である。
【図２１】図２１は、図１９に示した台間カード処理機の背面に図２０で示したノイズ防止カバーを取り付けた時の外観構成を示す図である。
【図２２】図２２は、パルス変換機における実施例２に係る台間カード処理機からの遊技に係る情報の受信時の処理手順を示すフローチャートである。
【図２３】図２３は、パルス変換機における実施例２に係る通信障害検知時の処理手順を示すフローチャートである。
【図２４】図２４は、実施例３に係る遊技機、台間カード処理機、パルス変換機及びホールコンピュータの接続構成を示す図である。
【図２５】図２５は、図２４に示したパルス変換機の実施例３に係る内部構成を示すブロック図である。
【図２６】図２６は、図２４に示したパルス変換機における実施例３に係る台間カード処理機からの遊技に係る情報の受信時の処理手順を示すフローチャートである。
【図２７】図２７は、図２４に示したパルス変換機における実施例３に係る通信障害検知時の処理手順を示すフローチャートである。
【図２８】図２８は、実施例４に係る遊技機、台間カード処理機、ホールコンピュータ、管理装置及び台情報管理装置を含む遊技システムのシステム構成を示す図である。
【図２９】図２９は、図２８に示した台間カード処理機及び遊技機の実施例４に係る内部構成を示すブロック図である。
【図３０】図３０は、図２９に示した台間カード処理機の実施例４に係るデータ構成について説明するための説明図である。
【図３１】図３１は、遊技機から打込情報、賞出情報及び不正検知情報などの遊技機の稼働情報を受け付けたときの図２８に示した台間カード処理機における処理手順を示すフローチャートである。
【発明を実施するための形態】
【００２１】
以下に、添付図面を参照して、本発明に係る中継装置及び通信中継方法の好適な実施例を詳細に説明する。
【実施例１】
【００２２】
遊技機の種類には開放式と封入式があり、開放式と封入式では遊技媒体を使用可能な状態にするということの内容が異なる。具体的には、開放式の遊技機では、遊技媒体の貸出及び入賞などによって、遊技機から遊技媒体の実物が投出され、投出された遊技媒体を遊技機に投入することによって遊技をすることができる。一方、封入式の遊技機では、発射可能な遊技媒体の数である遊技可能数を遊技玉数として管理を行っており、遊技媒体実物が投出されることはなく遊技媒体実物を投入することもできない。封入式の遊技機では、遊技媒体の貸出及び入賞などによってそれぞれの所定数が遊技機の遊技可能数に加算され、遊技で遊技媒体を消費すると遊技可能数から減算されることとなる。
【００２３】
まず、封入式の遊技機２０の導入後におけるホールコンピュータ９０、２９０、３９０の世代ごとの台間カード処理機１０との接続構成の概要を説明する。図１は、封入式の遊技機２０の導入後におけるホールコンピュータ９０、２９０、３９０の世代ごとの台間カード処理機１０との接続構成の概要を説明するための説明図である。
【００２４】
図１（ａ）は、封入式の遊技機２０が導入される以前の、現行の開放式の遊技機１２０と、開放式の遊技機１２０に併設される台間カード処理機１１０と、現行のホールコンピュータ２９０との接続構成を示している。現行の遊技機１２０は、所定数の遊技玉の打込に対応する打込情報や、入賞による所定数の賞出に対応する賞出情報などを、遊技機１２０からホールコンピュータ２９０に接続される信号線にパルス信号を出力することによってホールコンピュータ２９０に通知する。また、台間カード処理機１１０は、玉貸による売上の情報などを、台間カード処理機１１０からホールコンピュータ２９０に接続される信号線にパルス信号を出力することによってホールコンピュータ２９０に通知する。
【００２５】
図１（ｃ）は、封入式の遊技機２０が導入されて、封入式の遊技機２０と、封入式の遊技機２０に併設される台間カード処理機１０と、封入式の遊技機２０のインタフェースに対応済みのホールコンピュータ３９０との接続構成を示している。封入式の遊技機２０は、打込情報や賞出情報はシリアル通信によって併設される台間カード処理機１０に送信される。また、封入式の遊技機２０は、従来の開放式の遊技機１２０にはなかった不正検知の情報なども、台間カード処理機１０にシリアル通信によって送信する。台間カード処理機１０は、遊技機２０から打込情報、賞出情報及び不正検知の情報などを受け付けた場合には、シリアル通信によってホールコンピュータ３９０に転送する。また、台間カード処理機１０は、自装置で処理を行った売上の情報などについてもシリアル通信によってホールコンピュータ３９０に通知する。このように封入式の遊技機２０に対応したホールコンピュータ３９０は、従来、遊技機１２０や台間カード処理機１１０と接続された信号線でパルス信号を受け付けることによって取得していた情報を、台間カード処理機１０からシリアル通信で受け付けるようになる。
【００２６】
図１（ｂ）は、図１（ｃ）に示した最終形の構成になる以前の過渡期における封入式の遊技機２０とそれに併設される台間カード処理機１０と、パルス信号による通知のみを受け付けることのできるホールコンピュータ９０との接続構成を示している。ホールコンピュータ９０は、パルス信号による通知でしか情報を受け取ることができないという点ついては図１（ａ）に示したホールコンピュータ２９０と同じであるが、封入式の遊技機２０の導入に伴って新たに通知することが可能となった不正検知の情報などを受け付けることが可能となっている。
【００２７】
封入式の遊技機２０は、打込情報、賞出情報及び不正検知の情報などの遊技に係る全ての情報をシリアル通信によって併設される台間カード処理機１０に送信する。台間カード処理機１０は、シリアル通信によって打込情報及び賞出情報などの遊技に係る情報を受け付けると、情報の種類に応じたパルス信号を、情報の種類に応じたホールコンピュータ９０に直接接続される信号線に出力することによってホールコンピュータ９０に通知する。また、台間カード処理機１０は、玉貸による売上の情報などの台間カード処理機１０で処理した遊技に係る情報についても、情報の種類に応じたパルス信号を情報の種類に応じたホールコンピュータ９０に直接接続される信号線に出力することによってホールコンピュータ９０に通知する。
【００２８】
また、台間カード処理機１０は、封入式の遊技機２０の導入に伴って新たに追加となった不正検知などの情報については、パルス変換機１００に対してシリアル通信を利用して通知する。不正検知の情報などを受け付けたパルス変換機１００は、受け付けた情報の種類に応じたパルス信号を、受け付けた情報の種類に応じたパルス変換機１００からホールコンピュータ９０に接続される信号線１０２ｅにパルス信号を出力することによってホールコンピュータ９０に通知する。
【００２９】
また、パルス変換機１００は、パルス変換機１００とホールコンピュータ９０の間のパルス送信用の信号線１０２ｅの断線を検知した場合には、台間カード処理機１０にホールコンピュータ９０との接続が切れている旨の障害の通知を行う。また、パルス変換機１００は、パルス変換機１００と台間カード処理機１０の間のシリアル通信の障害が検知された場合には、ホールコンピュータ９０に台間カード処理機１０との通信が障害である旨の通知を行う。これらによってホールコンピュータ９０は、図１（ａ）に示した遊技機１２０及び台間カード処理機１１０と直接接続されている場合と同様の通信障害時の制御を行うことが可能となる。
【００３０】
図１（ｂ）の例では、図１（ａ）に記載した打込情報及び賞出情報などの遊技に係る情報と、玉貸による売上の情報などの台間カード処理機１０で処理した遊技に係る情報とを、台間カード処理機１０からホールコンピュータ９０に直接接続される信号線に出力することによってホールコンピュータ９０に通知するものとしたが、これらの情報のうち一部をパルス変換機１００にシリアル通信で送信して、パルス変換機１００からホールコンピュータ９０に接続される信号線にパルスを送信することによって、ホールコンピュータ９０に通知するものとしてもよい。
【００３１】
このように、パルス変換機１００は、ホールコンピュータ９０が台間カード処理機１０からの通知についてはパルス通信でしか受け付けることができない場合には、台間カード処理機１０からシリアル通信で受け付けた通知をパルス信号に変換してホールコンピュータ９０に通知するようにした。また、台間カード処理機１０との通信障害を検知すると、ホールコンピュータ９０に通信障害の検知を通知し、ホールコンピュータ９０との通信障害を検知すると、台間カード処理機１０に通信障害の検知を通知するようにした。また、ホールコンピュータ９０が台間カード処理機１０からの通知についてシリアル通信で受け付けることができるようになった場合には、パルス変換機１００を取り外して、台間カード処理機１０とホールコンピュータ３９０をシリアル通信で直接接続するシステム構成に移行することができるので新たな形式の情報を出力する遊技機２０の導入にあたり、既存のホール設備が収集している情報を支障なく提供するとともに、遊技機２０が出力する新たな形式の情報を好適に収集することができる。
【００３２】
次に、実施例１に係る遊技機２０、台間カード処理機１０及びホールコンピュータ９０を含む遊技システムのシステム構成を説明する。図２は、実施例１に係る遊技機２０、台間カード処理機１０及びホールコンピュータ９０を含む遊技システムのシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線８０と接続する。通信回線８０には、島コントローラ３０と、カード管理装置４０と、会員管理装置５０と、景品管理装置７０と、精算機６０と、ホールコンピュータ９０が接続される。また、台間カード処理機１０とホールコンピュータ９０は、通信回線８０とは別の通信線で直接接続される。
【００３３】
遊技機２０は、装置内部に封入された遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３４】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機２０の遊技玉制御部２６は、入賞領域ごとに何個の遊技玉を賞玉として付与するかを記憶する賞玉メモリと、遊技者が遊技に使用できる遊技玉を記憶する遊技玉メモリ２６ａを有している。
【００３５】
したがって、打ち込んだ遊技玉の特定の入賞領域への通過が入賞センサにより検知されると、遊技機２０は、賞玉メモリの記憶内容と、入賞領域を通過した遊技玉数から付与すべき賞玉数を決定し、決定した賞玉数を遊技玉メモリ２６ａにおいて記憶している遊技玉数に加算して記憶内容を更新する。また、遊技機２０における所定の管理移行操作に基づいて、遊技玉メモリ２６ａに保持している遊技玉数を一定数ずつ台間カード処理機１０に通知して、遊技玉メモリ２６ａに記憶している遊技玉数のデータを一定数ずつ減算する。さらに、台間カード処理機１０から玉貸操作に基づく遊技玉数の通知を受けた場合には、通知された遊技玉数を遊技玉メモリ２６ａに記憶している遊技玉数に加算して記憶内容を更新する。
【００３６】
また、遊技機２０では、所定の条件を満たした場合には、試し打ちを行うことができる。試し打ちとは、遊技媒体を遊技玉として無償で貸し出して、通常と同様に遊技を可能とするもので、所定時間の経過等の終了条件を満たしたならば遊技玉をゼロとすることによって、試し打ちを終了とする。また、試し打ちができる条件の設定が可能で、例えば試し打ちが可能な遊技機２０として登録されていて、入金を受け付けている若しくは一般カードを受け付けている若しくは会員カードを受け付けている等の条件が設定されることによって、遊技店にとって不利益となる冷やかし防止も考慮することができる。
【００３７】
また、遊技機２０は、所定数の遊技玉が打ち込まれたことを示す打込情報や入賞により所定数の賞出があったことを示す賞出情報などの遊技に係る情報を台間カード処理機１０に通知する。従来の開放式の遊技機１２０では、パルス通信でホールコンピュータ２９０に直接通知していが、封入式の遊技機２０ではシリアル通信によって台間カード処理機１０に通知され、台間カード処理機１０を経由してホールコンピュータ９０に通知される。また、遊技機２０は、打込情報及び賞出情報以外に開放式の遊技機１２０にはなかった不正を検知したことを示す情報なども、同様に台間カード処理機１０にシリアル通信によって通知される。
【００３８】
台間カード処理機１０は、入金の受付、遊技玉の貸し出し、カード管理装置４０との通信、並びに遊技機２０との通信を行う。台間カード処理機１０は、遊技客が投入した紙幣を受け付けたならば、入金額を含む入金通知をカード管理装置４０に送信することで、プリペイド価値をカード管理装置４０が管理するプリペイド価値に加算させる。そして、所定の玉貸操作がなされたならば、玉貸要求をカード管理装置４０に送信し、カード管理装置４０が管理するプリペイド価値を減算させて、減算したプリペイド価値分に対応する数の遊技玉数を遊技機２０に通知し、遊技玉メモリ２６ａに加算させる。
【００３９】
また、台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。また、台間カード処理機１０に持玉数の残高がある状態において、再プレイ操作が行われると、遊技機２０に所定数ずつ通知され、これによって台間カード処理機１０の持玉数が所定数分減算され、遊技機２０の遊技玉メモリ２６ａの遊技玉数に所定数が加算される。さらに、台間カード処理機１０は、後述するように遊技機２０の現在の遊技玉数を示すデータを把握することができるため、カード挿入時または再プレイ操作時に遊技機２０に一定数以上（例えば１００玉以上）の持玉数が存在し、なおかつ前回挿入されていたカードとカード識別番号が異なる場合には、所定の表示部にて警告を行うとともに、遊技機２０にて後述の管理移行操作が行われて遊技機２０に残存する持玉データが０となるまでは、挿入されたカードによる再プレイ操作および貸出操作を禁止する。管理移行操作によって台間カード処理機１０に移行された持玉データは、挿入されたカードとは関連付けられずに別管理される。
【００４０】
また、台間カード処理機１０は、貯玉再プレイ操作を受け付けると、カード管理装置４０に対して貯玉再プレイ要求を送信することで、会員管理装置５０が管理する貯玉数を所定数減算させて一時的に記憶した後、減算させた貯玉数に対応する数の持玉数を遊技機２０に通知し、遊技玉メモリ２６ａに加算させる。
【００４１】
また、台間カード処理機１０は、遊技機２０での管理移行操作により一定数の遊技玉数を含む管理移行データを受信した場合には、受信した遊技玉数を遊技玉メモリ２６ａに加算する。そして、カード返却操作を受け付けたならば、遊技玉メモリ２６ａに記憶している持玉数を含む持玉加算要求をカード管理装置４０に送信し、カード管理装置４０に持玉を加算させた後、カード排出通知をカード管理装置４０に送信し、カードを排出制御する。
【００４２】
また、台間カード処理機１０は、遊技機２０から遊技機ＩＤを取得し、取得した遊技機ＩＤと、カード管理装置４０から受信した認証キーとを用いて遊技機２０の認証を行なう機能を有する。この認証は、開店処理時等に行なわれ、認証の成功を条件に遊技機２０は遊技可能となる。
【００４３】
また、台間カード処理機１０は、遊技機２０と定期的に通信を行っており、遊技機２０の遊技機状態（大当り、確率変動、時短遊技、各種異常、ドアオープン、休憩中など）と、現在の遊技玉数を示すデータを取得するようになっている。台間カード処理機１０は、これらの情報を元に現在の遊技状況を把握し、遊技状況に応じた制御を行うことができる。また、台間カード処理機１０は、遊技機２０の遊技機状態と台間カード処理機１０自身の状態（待機中、入金中、会員カード挿入中、カードエンプティ、各種異常、不正カード使用など）とを、それぞれの状態の変化時若しくは定期的にカード管理装置４０に送付する。カード管理装置４０は、遊技機２０、台間カード処理機１０の状況をほぼリアルタイムで把握し、状況に応じて従業員に報知を行う。何らかの従業員の対応が必要な異常（例えば紙幣詰まり）の発生が検知されたならば、従業員に異常の発生している装置の識別情報と異常の内容を報知する。また、不正が疑われる行為を検知した場合にも、従業員に不正が疑われる行為の検知された装置の識別情報と疑われる不正行為の内容を報知する。
【００４４】
また、台間カード処理機１０は、所定の遊技終了時刻の所定時間前になると遊技機表示操作部１０ｂに遊技終了時刻を表示する。また、台間カード処理機１０は、該遊技終了時刻になると、それ以降はカード挿入操作、入金操作、玉貸操作及び貯玉再プレイ操作等の遊技操作を制限する。
【００４５】
また、台間カード処理機１０は、遊技玉の貸出、持玉再プレイ及び貯玉再プレイなどの処理を行うと、ホールコンピュータ９０に対して実施した処理の情報の通知を行う。また、台間カード処理機１０は、遊技機２０から受け付けた打込情報、賞出情報及び不正検知情報などの情報もホールコンピュータ９０に通知する。ただし、ホールコンピュータ９０は全ての通知はパルス通信でしか受け付けることができないが、台間カード処理機１０はすべての情報の種類数に対応する十分な数の信号線を接続する端子を有してはいないことから、一部の情報についてはシリアル通信でパルス変換機１００に通知して、パルス変換機１００がパルス信号に変換してホールコンピュータ９０に通知を行っている。
【００４６】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００４７】
カード管理装置４０は、台間カード処理機１０からカード挿入通知を受信したならば、挿入されたカードのＩＤと台間カード処理機１０とを関連づけて管理し、該カードＩＤに関連づけられたプリペイド価値及び持玉の残高を台間カード処理機１０に送信する。また、カード挿入通知に示されたカードＩＤが会員カードのカードＩＤである場合には、カード挿入通知を会員管理装置５０に送信し、会員管理装置５０から受信した貯玉再プレイデータを台間カード処理機１０に送信する。
【００４８】
また、カード管理装置４０は、台間カード処理機１０から持玉減算要求を受信した場合には、持玉口座の残高をゼロにクリアし、台間カード処理機１０から持玉加算要求を受信した場合には、持玉口座の残高を持玉加算要求に示された持玉数に更新する。
【００４９】
また、カード管理装置４０は、台間カード処理機１０から玉貸要求を受信した場合には、対応するプリペイド価値を所定値減算し、玉貸許可を台間カード処理機１０に送信する。そして、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００５０】
また、カード管理装置４０は、景品管理装置７０からカードＩＤを受信したならば、このカードＩＤに関連付けられた持玉数を景品管理装置７０に対して通知する。さらに、精算機６０からカードＩＤを受信したならば、このカードＩＤに関連付けられたプリペイド価値を精算機６０に対して通知する。
【００５１】
会員管理装置５０は、遊技店に会員登録された会員の会員管理データ５５ａを管理する管理装置である。具体的には、会員に対して発行した会員カードＩＤに関連づけて、貯玉数、ポイント、暗証番号及び氏名等を管理する。
【００５２】
会員の登録処理は、台間カード処理機１０及び遊技機２０からの操作で実施することができる。会員の種類には、カード会員と携帯会員がある。カード会員は、会員カードの発行を受けて、該会員カードのカードＩＤに関連付けて貯玉数、ポイント、暗証番号及び氏名等が管理される。携帯会員は、会員カードは発行されず、当該会員の有するＩＣチップ内蔵の携帯電話機の識別情報に関連付けて貯玉数、ポイント、暗証番号等が管理される。また、カード会員の登録方法は台間カード処理機１０及び遊技機２０からの操作で暗証番号及び氏名等の属性情報の登録を行う通常の登録方式と、台間カード処理機１０及び遊技機２０では会員登録の予約のみで暗証番号及び氏名等の属性情報の登録は事後にインターネット経由でパソコンやスマートフォンから実施する多段階会員登録方式がある。
【００５３】
会員管理装置５０は、台間カード処理機１０からカード挿入通知を受信したならば、カード挿入通知に示されたカードＩＤに対応する貯玉口座の残高と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連づけられた貯玉口座の残高を所定数減算し、減算後の貯玉口座の残高を含む貯玉再プレイデータを台間カード処理機１０に送信する。なお、台間カード処理機１０と会員管理装置５０との通信は、カード管理装置４０を介して行なわれる。
【００５４】
また、会員管理装置５０は、景品管理装置７０から貯玉数の問い合わせを受けたならば、指定されたカードＩＤに対応する貯玉口座の残高を景品管理装置７０に通知する。
【００５５】
精算機６０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００５６】
景品管理装置７０は、遊技店内の景品交換カウンタに併設された景品交換用の端末装置であり、獲得玉、貯玉及び持玉の景品交換処理を行う。この景品管理装置７０には、カードのカードＩＤを読み取るリーダライタ及び景品を払い出す景品払出装置が接続されている。景品管理装置７０は、リーダライタがカードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００５７】
ホールコンピュータ９０は、台間カード処理機１０及びパルス変換機１００から通知される打込情報、賞出情報、売上情報及び不正検知情報などを受け付けて、遊技機２０ごとの差玉数、売上金額及び不正操作の検知情報などを管理する装置である。ホールコンピュータ９０は、台間カード処理機１０及びパルス変換機１００から通知される情報はパルス通信によってのみ受け付けることができる。
【００５８】
ホールコンピュータ９０が、打込情報、賞出情報、売上情報及び不正検知情報などの一部についてシリアル通信での受け付けが可能となった場合には、シリアル通信が可能となった情報については、台間カード処理機１０からシリアル通信でホールコンピュータ９０に通知を行う。また、ホールコンピュータ９０が、打込情報、賞出情報、売上情報及び不正検知情報などの全ての情報についてシリアル通信での受け付けが可能なホールコンピュータ３９０となった場合には、台間カード処理機１０からパルス変換機１００を経由せずに直接ホールコンピュータ３９０にシリアル通信で通知を行うことが可能となり、これが封入式の遊技機２０の導入後の最終のシステム構成となる。
【００５９】
図２に示したシステムで玉貸しを行う場合の玉貸処理について説明する。遊技客が台間カード処理機１０に対して玉貸操作を行うと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するローカルアドレス若しくは任意の識別情報と、玉貸要求とを含む。
【００６０】
カード管理装置４０は、玉貸要求を含む電文を受信すると、該電文内のカードＩＤに関連付けられたプリペイド価値を所定値（例えば、１００円＝１度数の場合に５度数）減算してカード管理データ４５ａを更新し、玉貸許可を送信元の台間カード処理機１０に送信する。玉貸許可を受信した台間カード処理機１０は、減算したプリペイド価値に対応する数（例えば１２５玉）を遊技機２０に通知し、遊技玉に加算させる。
【００６１】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するローカルアドレス若しくは任意の識別情報と、台間カード処理機１０のレートを特定するための情報と、カード挿入通知とを含む。
【００６２】
カード管理装置４０は、台間カード処理機１０からカード挿入通知を受信した場合には、該電文内のカードＩＤに関連付けられた持玉口座のうち、該電文により特定されたレートの持玉口座の残高を台間カード処理機１０に通知する。
【００６３】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤ及びレートにより特定される持玉口座の残高をゼロにクリアする。
【００６４】
台間カード処理機１０は、カード返却操作を受け付けた場合には、カード管理装置４０に対して自装置内で管理する持玉数と持玉加算要求を含む電文を送信する。この電文は、排出するカードのカードＩＤと、送信元である台間カード処理機１０を特定するローカルアドレス若しくは任意の識別情報と、台間カード処理機１０のレートを特定するための情報と、自装置内で管理する持玉数と、持玉加算要求とを含む。
【００６５】
カード管理装置４０は、持玉加算要求を受け付けた場合には、該電文内のカードＩＤに関連付けられた持玉口座のうち、該電文により特定されたレートの持玉口座の残高を受信した持玉数に更新する。
【００６６】
その後、台間カード処理機１０は、カード管理装置４０にカード排出通知を送信し、カードを排出制御する。
【００６７】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するローカルアドレス若しくは任意の識別情報と、台間カード処理機１０のレートを特定するための情報と、カード挿入通知とを含む。
【００６８】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉口座のうち、該電文により特定されたレートの貯玉口座の残高とを含む貯玉再プレイデータを台間カード処理機１０に送信する。
【００６９】
台間カード処理機１０は、受信した貯玉再プレイデータを記憶し、貯玉再プレイデータに示された貯玉口座の残高が貯玉再プレイにおける遊技玉の払出単位数（貯玉再プレイ単位数。例えば１２５玉）以上である場合には貯玉再プレイ操作を受け付け可能とする。
【００７０】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００７１】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するローカルアドレス若しくは任意の識別情報と、台間カード処理機１０のレートを特定するための情報と、貯玉再プレイ要求とを含む。
【００７２】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉口座のうち、該電文により特定されたレートの貯玉口座の残高を所定値減算し、減算後の残高を含む貯玉再プレイデータを台間カード処理機１０に送信する。
【００７３】
台間カード処理機１０は、貯玉再プレイデータを受信して貯玉口座の残高を更新し、貯玉再プレイ単位数を遊技機２０に通知し、遊技玉に加算させる。また、更新後の貯玉口座の残高が貯玉再プレイ単位数未満となったかを判定し、貯玉再プレイ単位数未満となったならば、貯玉再プレイ操作を受け付け不能とする。更新後の貯玉口座の残高が貯玉再プレイ単位数以上であれば、再度貯玉再プレイ操作を受け付け可能であり、貯玉再プレイ操作を受け付けた場合には貯玉再プレイ要求を送信する。２回目以降の貯玉再プレイ操作では、暗証番号の確認は不要である。なお、本実施例では同一の遊技機２０での同一会員の２回目以降の貯玉再プレイ操作では暗証番号の確認は不要としたが、暗証番号の入力を貯玉再プレイ操作の都度行うよう設定等で変更できてもよい。
【００７４】
次に、閉店処理における持玉からの貯玉への移行について説明する。カード管理装置４０は、閉店処理時にカード管理データ４５ａの持玉口座の残高を確認し、持玉の残高が「０」より大きい持玉口座が存在する場合には、該持玉口座の残高をカードＩＤ及びレートとともに会員管理装置５０に通知する。会員管理装置５０は、カードＩＤ及びレートにより特定される貯玉口座の残高に通知された持玉口座残高を加算して更新する。その後、カード管理装置４０は、該持玉口座の残高をゼロにクリアする。
【００７５】
次に、図２に示した台間カード処理機１０及び遊技機２０の実施例１に係る内部構成を説明する。図３は、台間カード処理機１０及び遊技機２０の実施例１に係る内部構成を示すブロック図である。図３に示すように、台間カード処理機１０は、紙幣搬送部１２と、表示操作部１３と、リーダライタ１４と、通信部１５と、パルス出力部１８と、シリアル通信部１９と、遊技機管理基板１０ａと、遊技機表示操作部１０ｂと、記憶部１６と、制御部１７とを有する。
【００７６】
紙幣搬送部１２は、紙幣挿入口１２ａから挿入された紙幣の金種及び真偽を判別しつつ図示しない紙幣収納部に搬送する搬送部である。表示操作部１３は、有価価値等の各種情報の表示と、玉貸操作等の各種操作の受け付けを行なうタッチパネルディスプレイ等の入出力装置である。また、遊技機表示操作部１０ｂも会員登録処理などの各種操作の受け付けを行なう大型のタッチパネルディスプレイ等の入出力装置である。遊技機表示操作部１０ｂは遊技機２０の遊技盤面の下部に配置される。
【００７７】
リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。通信部１５は、通信回線８０を介してカード管理装置４０との間のデータ通信を行なうためのインタフェース部である。
【００７８】
パルス出力部１８は、台間カード処理機１０から直接ホールコンピュータ９０に接続される信号線にパルス信号を出力することによってホールコンピュータ９０に情報を通知するインタフェース部である。また、シリアル通信部１９は、台間カード処理機１０とシリアル通信を行うためのインタフェース部であり、台間カード処理機１０からホールコンピュータ９０に直接接続される信号線を利用したパルス通信では通知することのできない情報をパルス変換機１００に通知するために使用される。また、図１（ｄ）で示したシリアル通信で遊技に係る全ての情報を受け取ることができるホールコンピュータ３９０が導入された場合には、パルス変換機１００は不要となり、シリアル通信部１９は、ホールコンピュータ３９０とのデータ通信のインタフェース部となる。
【００７９】
遊技機管理基板１０ａは、台間カード処理機１０に内蔵された基板である。遊技機管理基板１０ａは、制御部１７と暗号通信により相互認証を行う。また、遊技機管理基板１０ａは、遊技機２０の認証と起動管理とを行なう。具体的には、カード管理装置４０から受信した認証キーを使用して遊技機２０の認証を実施する。遊技機管理基板１０ａと制御部１７の間の相互認証及び遊技機２０の認証が成功したならば、遊技機２０へ動作許可を送信し、認証成功の結果をカード管理装置４０に送信する。また、遊技機管理基板１０ａは、台間カード処理機１０と遊技機２０との通信を行なう。具体的には、遊技機２０からの遊技機ＩＤの取得、台間カード処理機１０から遊技機２０への持玉の移行、遊技機２０から台間カード処理機１０への遊技玉の返却、遊技機２０における遊技玉数や打込玉数や賞出玉数等の遊技結果の受信を行なう。かかる台間カード処理機１０と遊技機２０との通信は、所定の暗号方式を用いた暗号通信を用いる。
【００８０】
この暗号通信についてさらに説明する。遊技機管理基板１０ａは、セキュリティチップを有している。セキュリティチップは、自己の識別ＩＤ及び所定の暗号化・復号化プログラムを有するものであり、後述する遊技機２０のセキュリティチップとの間で通信を行うためのものである。
【００８１】
セキュリティチップは、遊技機管理基板１０ａから入出力するデータが予め定められたセキュリティ性を要するデータ種別に該当するかどうかを判別し、該当しない場合はそのままデータの入出力を行う。一方、セキュリティ性を要するデータ種別に該当する場合は、データの入出力に際し、自己の識別ＩＤと相手方の識別ＩＤを用いて、遊技機２０のセキュリティチップとの間で相互認証処理を行う。このセキュリティチップの相互認証は、割り込み単位で行われる。相互認証ＯＫであれば、出力の場合は暗号化プログラムにより暗号化したデータを出力し、入力の場合は、相手方からのデータの入力待ちとなって、受信したデータの復号化を行う。遊技機２０のセキュリティチップとの間では、予め暗号化・復号化方式が取り決められており、相互に相手方が暗号化したデータを復号化することが可能となっている。
【００８２】
ここで、セキュリティ性を要しないデータとは、返却ボタン等の入力信号等、不正に入力されても実質的に損害のないものが含まれる。セキュリティ性を要するデータとは、持玉数データ、遊技機２０における不正検出信号など、遊技者・遊技店の利益に直接かかわるものが含まれる。また、セキュリティ性を要するデータ種別かどうかの判断は、制御部１７で行ってもよい。また、相互認証にてＮＧとなった場合には、相互認証ＮＧを検知した機器（遊技機２０あるいは台間カード処理機１０）は上位装置および自機の表示部に異常を出力した上で、エラーダウンする。
【００８３】
遊技機管理基板１０ａは、遊技機２０の状態（通常、確率変動、時短、大当りなどの遊技状態、入賞口への玉の入賞、遊技玉数など）を一定時間（例えば２００ｍｓｅｃ）ごとの遊技機２０との通信により取得して、制御部１７に通知する。また、遊技機管理基板１０ａは、通信通番を用いて遊技機２０との通信制御をおこなっており、通番が最後に受信した通番と不整合となった場合には、情報を再要求することにより整合性を保持する手段を備える。また、制御部１７は、遊技機管理基板１０ａを介して遊技機２０の状態の一部または全部を取得することによって、例えば、貸出処理を行ったときに、遊技玉の個数が正常に加算されたか否かの確認を行う。
【００８４】
記憶部１６は、ハードディスク装置や不揮発性メモリ等からなる記憶デバイスである。記憶部１６は、カードＩＤ１６ａ、有価価値データ１６ｂ及び稼働データ送信パラメータ１６ｃを有する。
【００８５】
カードＩＤ１６ａは、リーダライタ１４により読み取られたカードＩＤである。カード挿入口１４ａから図示しないカード収納部にカードが搬送される場合にも、この搬送途中でリーダライタ１４により読み取られたカードＩＤによってカードＩＤ１６ａが更新される。また、カードが挿入されていない状態で入金が行なわれたならば、図示しないカード収納部からリーダライタ１４にカードが搬送され、リーダライタ１４により読み取られたカードＩＤによってカードＩＤ１６ａが更新される。なお、本実施例ではカードが挿入されていない状態の入金操作で、図示しないカード収納部からリーダライタ１４にカードが搬送され、リーダライタ１４により読み取られたカードＩＤによってカードＩＤ１６ａが更新されるとしたが、これに限定するものではない。最後にカードが排出された時に、図示しないカード収納部の一番上にあるカードをリーダライタ１４に搬送して、カードＩＤを読み取って記憶しておくことによって、遊技客によるカード挿入がされていない状態で入金された場合には、記憶しているカードＩＤでカードＩＤ１６ａを更新するものとしてもよい。
【００８６】
有価価値データ１６ｂは、持玉を加算するために使用可能な有価価値を示すデータである。この有価価値には、玉貸しに使用可能なプリペイド価値の残高、持玉口座の残高、貯玉再プレイ用の暗証番号並びに貯玉口座の残高を含む。
【００８７】
稼働データ送信パラメータ１６ｃは、台間カード処理機１０からホールコンピュータ９０に通知する打込情報、賞出情報、売上情報及び不正検知情報などの情報ごとにどのように送信するのかを規定したデータである。具体的には図４で詳しく説明する。
【００８８】
制御部１７は、台間カード処理機１０を全体制御する制御部であり、データ管理部１７ａ、レート設定処理部１７ｂ及び稼働データ送信部１７ｃを有する。
【００８９】
データ管理部１７ａは、カードが挿入された場合に、カードＩＤ１６ａ及び台間カード処理機１０の識別情報を含むカード挿入通知をカード管理装置４０に送信する。また、データ管理部１７ａは、カード管理装置４０から有価価値（プリペイド価値、持玉及び貯玉の少なくともいずれか）を含むデータを受信した場合に、受信した有価価値により有価価値データ１６ｂを更新する。
【００９０】
また、データ管理部１７ａは、紙幣挿入口１２ａに紙幣が挿入されると、挿入された紙幣の金額、カードＩＤ１６ａ及び台間カード処理機１０の識別情報を含む入金通知をカード管理装置４０に送信する。
【００９１】
また、データ管理部１７ａは、遊技客により玉貸操作が行なわれた場合に、カードＩＤ１６ａ及び台間カード処理機１０の識別情報を含む玉貸要求をカード管理装置４０に送信する。この玉貸要求への応答として玉貸許可を受信したならば、データ管理部１７ａは、所定数の持玉の加算を行なうよう遊技機２０に通知する。
【００９２】
また、データ管理部１７ａは、有価価値データ１６ｂに示された貯玉口座の残高が貯玉再プレイ単位数以上である場合には、表示操作部１３又は遊技機表示操作部１０ｂに貯玉再プレイボタンを表示し、貯玉再プレイ操作を受け付け可能とする。データ管理部１７ａは、遊技客により貯玉再プレイ操作が行なわれた場合に、カードＩＤ１６ａ及び台間カード処理機１０の識別情報を含む貯玉再プレイ要求をカード管理装置４０に送信する。この貯玉再プレイ要求への応答として貯玉再プレイデータを受信したならば、有価価値データ１６ｂの貯玉口座の残高を更新し、貯玉再プレイ単位数を遊技機２０に通知する。なお、初回の貯玉再プレイ操作時には、暗証番号の入力を求め、有価価値データ１６ｂに示された暗証番号と一致することを貯玉再プレイ要求を送信するための条件とする。
【００９３】
また、データ管理部１７ａは、遊技客によりカード返却操作が行なわれた場合にカードＩＤ１６ａ、台間カード処理機１０の識別情報並びに有価価値データ１６ｂの持玉数を含む持玉加算要求をカード管理装置４０に送信して、有価価値データ１６ｂをクリアした後、カード排出通知をカード管理装置４０に送信し、カードを排出する。
【００９４】
レート設定処理部１７ｂは、表示操作部１３又は遊技機表示操作部１０ｂに対し、現在の遊技種に対応するレートを表示するとともに、遊技客によるレートの選択を受け付ける設定がされている場合は、表示操作部１３又は遊技機表示操作部１０ｂに対して選択可能なレートを表示する。遊技客が所望のレートを選択すると、当該遊技機の遊技種を指定された遊技種とする。一方、遊技客によるレートの選択を受け付ける設定がされていない場合は、遊技中には選択可能なレートは表示されない。この場合、従業員によるリモコン操作等を受け付け、認証を行ったことを条件として、選択可能なレートが表示される。従業員がレートを選択すると、当該遊技機の遊技種を指定された遊技種とする。
【００９５】
稼働データ送信部１７ｃは、遊技機２０から受け付けた打込情報、賞出情報及び不正検知情報や、台間カード処理機１０で行った処理に対応する売上情報などの遊技に係る情報を、稼働データ送信パラメータ１６ｃで規定される内容に従って、パルス出力部１８若しくはシリアル通信部１９を使用して、ホールコンピュータ９０若しくはパルス変換機１００に送信する。稼働データ送信部１７ｃは、稼働データ送信パラメータ１６ｃにパルスによって送信すると設定されている場合には、開放式の遊技機１２０に併設されている台間カード処理機１１０と同じ送信タイミングとなるように情報を送信する。
【００９６】
遊技機２０は、通信部２３、遊技制御部２５及び遊技玉制御部２６を有する。通信部２３は、台間カード処理機１０との間のデータ通信を行うためのインタフェース部である。通信部２３は、セキュリティチップを有している。セキュリティチップは、自己の識別ＩＤ及び所定の暗号化・復号化プログラムを有するものであり、台間カード処理機１０のセキュリティチップとの間で通信を行うためのものである。
【００９７】
セキュリティチップは、通信部２３から入出力するデータが予め定められたセキュリティ性を要するデータ種別に該当するかどうかを判別し、該当しない場合はそのままデータの入出力を行う。一方、セキュリティ性を要するデータ種別に該当する場合は、データの入出力に際し、自己の識別ＩＤと相手方の識別ＩＤを用いて、台間カード処理機１０のセキュリティチップとの間で相互認証処理を行う。ここで相互認証ＯＫであれば、出力の場合は暗号化プログラムにより暗号化したデータを出力し、入力の場合は、相手方からのデータの入力待ちとなって、受信したデータの復号化を行う。台間カード処理機１０のセキュリティチップとの間では、予め暗号化・復号化方式が取り決められており、相互に相手方が暗号化したデータを復号化することが可能となっている。
【００９８】
ここで、セキュリティ性を要しないデータとは、返却ボタン等の入力信号等、不正に入力されても実質的に損害のないものが含まれる。セキュリティ性を要するデータとは、持玉数、遊技機２０における不正検出信号など、遊技者・遊技店の利益に直接かかわるものが含まれる。また、セキュリティ性を要するデータ種別かどうかの判断は、遊技制御部２５で行ってもよい。
【００９９】
さらに、遊技機２０は、営業を開始する時に電源をＯＮされると制御を開始するが、電源のＯＮ状態では通常の遊技制御（遊技可能）状態にはならず、待機制御状態にある。待機制御状態において、台間カード処理機１０との間の相互認証が通信部２３においてＯＫとなり、なおかつ通信部２３を通して台間カード処理機１０から遊技制御開始信号を受信した場合に遊技可能になる。
【０１００】
遊技制御部２５は、遊技機２０による遊技を制御する制御部である。具体的には、遊技制御部２５は、ハンドル操作検出による遊技玉の遊技盤面への発射制御、遊技盤面における入賞口に入った遊技玉の検出、始動口に入った遊技玉による乱数（0〜65535の乱数値の中で、所定の範囲ごとに大当り、小当り、はずれの数値が割り当てられているもの）の取得及び抽選（特別図柄及び普通図柄）、遊技盤面に設けられる可動部材（チューリップ等）の制御、遊技盤面に設けられる特別図柄表示装置の表示制御、不正の虞がある異常（前枠が開いている、振動を検知した等）の検出及び上位装置への通知等を行う。
【０１０１】
遊技盤面には多数の障害釘が植設されており、ハンドル操作によって遊技盤面に発射された遊技玉は、障害釘の間を落下していき、入賞口、始動口に入賞するか、入賞せずに遊技盤面のアウト口から遊技盤面外に排出される。遊技玉が始動口に入賞したことにより抽選が行われ、大当りとなると、遊技盤面上の所定の入賞口を複数回開放状態に制御する大当り遊技が行われ、この入賞口への遊技玉の入賞が容易になることにより、遊技者に賞玉を付与する。
【０１０２】
また、大当りには、大当り遊技終了後、遊技者に所定の特典遊技を付与する特典付大当り遊技がある。特典付き大当り遊技には、確率変動大当りと時短大当りが含まれる。確率変動大当りと時短大当りは、それぞれ大当り後に特典遊技として確率変動遊技と時短遊技を付与するものである。時短遊技は、普通図柄抽選（上記する可動部材の開閉抽選）及び／又は特別図柄抽選（上記する遊技玉の入賞による大当り抽選）の変動時間（抽選処理を開始してから結果を表示するまでの時間）を短縮することにより、単位時間あたりの抽選回数を増大させ、単位時間あたりに大当りに当選する確率を高める特典遊技である。この特典遊技には、普通図柄の当選確率を高くする普通図柄確率変動を含んでいてもよい。時短大当りによる時短遊技は、特別図柄抽選の抽選回数が大当り後所定の回数行われた場合に終了する。確率変動遊技については後述する。
【０１０３】
遊技制御部２５は、確率変動機能を有する。確率変動機能とは、抽選結果が大当りのうち、特に定められた乱数範囲になった場合に、次回抽選に用いる大当りの乱数範囲を変更する（一般的には１０倍程度にする）制御を行う機能である。確率変動遊技は、この変更された後の確率を用いて特別図柄抽選を行うものである。確率変動遊技は、次回大当り当選まで継続される。また、確率変動遊技と時短遊技を同時に付与してもよい。ただし、不測の遊技店の損害を予防するため、確率変動遊技あるいは時短遊技開始後、一定の遊技媒体を遊技者が獲得した場合は、打ち止め（一旦カードを排出し、景品交換あるいは台移動を要求する）処理としてもよい。この場合、確率変動遊技状態になった後の遊技媒体獲得数を封入式遊技機にて計数し、この計数値が所定値になった場合に遊技玉の発射を停止する等の遊技停止制御を行うことで実現できる。
【０１０４】
遊技玉制御部２６は、遊技玉数を制御する制御部である。具体的には、遊技玉数を遊技玉メモリ２６ａに記憶させ、遊技玉を発射する度に遊技玉数を１減算する。また、台間カード処理機１０より持玉再プレイや貯玉再プレイ及び玉貸によって遊技玉数を通知された場合には、通知された遊技玉数を遊技玉メモリ２６ａが記憶する遊技玉数に加算して、台間カード処理機１０に対して遊技玉数を受信した旨を示す確認信号を送信する。そして、所定の操作部にて管理移行操作を受け付けた場合には、遊技玉メモリ２６ａが記憶する遊技玉数から一定数ずつの遊技玉データを読み出して台間カード処理機１０に送信して当該数の遊技玉データの管理を台間カード処理機１０に移行し、遊技玉メモリ２６ａから当該数の遊技玉を減算処理する。また、遊技玉制御部２６は、遊技機２０に封入された遊技玉（循環玉）のクリーニング制御を行うこともできる。
【０１０５】
遊技制御部２５と遊技玉制御部２６とは、それぞれ個別の基板上に構成される。遊技制御部２５が構成された遊技制御基板と遊技玉制御部２６が構成された遊技玉制御基板は、それぞれ固有のＩＤを有する。遊技機２０は、遊技制御基板のＩＤと遊技玉制御基板のＩＤとを組合せ、遊技機ＩＤとして使用する。
【０１０６】
次に、図２に示した台間カード処理機１０の実施例１に係るデータ構成について説明する。図４は、台間カード処理機１０の実施例１に係るデータ構成について説明するための説明図である。
【０１０７】
稼働データ送信パラメータ１６ｃは、ホールコンピュータ９０に送信する情報の種類ごとに、通信区分、ポート番号及びパルス変換機情報をレコードの項目とするデータである。通信区分には「パルス」と「シリアル」があり、「パルス」が設定されている場合には、パルス出力部１８を使用して直接ホールコンピュータ９０にパルス通信によって情報を通知することを示す。また、通信区分に「シリアル」が設定されている場合には、シリアル通信部１９を使用して、パルス変換機１００を経由するなどしてホールコンピュータ９０に情報を通知することを示す。通信区分が「パルス」の場合には、パルス信号の出力を行うポート番号を規定する。また、通信区分が「シリアル」の場合には、ポート番号の規定はないがパルス変換機情報が設定される。パルス変換機情報には、パルス変換機１００からホールコンピュータ９０へのパルス信号の出力を行うポート番号を有する。パルス変換機１００は、シリアル通信で受け付けた情報をパルス通信に変換して、情報の種類ごとに設定されたポート番号の信号線にパルス信号を出力することによってホールコンピュータ９０に情報を通知することを示している。
【０１０８】
図４の稼働データ送信パラメータ１６ｃの例は、情報種類が「打込情報」の情報は、「パルス」通信によってポート番号「１」の信号線を使用して直接ホールコンピュータ９０に通知することを示している。また、情報種類が「賞出情報」の情報は、「パルス」通信によってポート番号「２」の信号線を使用して直接ホールコンピュータ９０に通知することを示している。また、情報種類が「大当情報」の情報は、「パルス」通信によってポート番号「３」の信号線を使用して直接ホールコンピュータ９０に通知することを示している。また、情報種類が「不正検知情報１」の情報は、「シリアル」通信によってパルス変換機１００に送信されて、パルス変換機１００からポート番号「２１」の信号線にパルス信号を出力することによってホールコンピュータ９０に通知することを示している。また、情報種類が「不正検知情報２」の情報は、「シリアル」通信によってパルス変換機１００に送信されて、パルス変換機１００からポート番号「２２」の信号線にパルス信号を出力することによってホールコンピュータ９０に通知することを示している。また、情報種類が「玉貸情報」の情報は、「パルス」通信によってポート番号「１１」の信号線を使用して直接ホールコンピュータ９０に通知することを示している。また、情報種類が「計数情報」の情報は、「パルス」通信によってポート番号「１２」の信号線を使用して直接ホールコンピュータ９０に通知することを示している。また、情報種類が「持玉再プレイ情報」の情報は、「パルス」通信によってポート番号「１３」の信号線を使用して直接ホールコンピュータ９０に通知することを示している。
【０１０９】
稼働データ送信部１７ｃは、稼働データ送信パラメータ１６ｃに規定された内容に従って情報をホールコンピュータ９０またはパルス変換機１００に通知する。また、稼働データ送信部１７ｃは、パルス変換機１００に係る情報が更新された場合には、パルス変換機１００に関連する情報を配信する。
【０１１０】
次に、図２に示したパルス変換機１００の実施例１に係る内部構成を説明する。図５は、パルス変換機１００の実施例１に係る内部構成を示すブロック図である。図５に示したように、パルス変換機１００は、各台装置通信部１０１と、パルス出力部１０２と記憶部１０４と、制御部１０５とを有する。
【０１１１】
各台装置通信部１０１は、台間カード処理機１０とのシリアル通信を行うためのインタフェース部である。パルス出力部１０２は、ホールコンピュータ９０へ接続される信号線１０２ｅへのパルス信号の出力を行うためのインタフェース部である。また、パルス出力部１０２は、パルス出力回路１０２ａ、断線抵抗切替回路１０２ｂ及び接続検知回路１０２ｃを有する。パルス出力回路１０２ａは、ホールコンピュータ９０に接続される信号線１０２ｅにパルス信号を出力する回路である。断線抵抗切替回路１０２ｂは、信号線１０２ｅの断線抵抗の有無を切り替える回路であり、断線抵抗を無しに切り替えることによって信号線１０２ｅを断線状態にすることができる。接続検知回路１０２ｃは、断線抵抗の有無を判定することによって信号線１０２ｅの接続状況の検知を行うことのできる回路である。
【０１１２】
記憶部１０４は、不揮発性メモリ等からなる記憶デバイスである。記憶部１０４は、稼働データ送信パラメータ１０４ａを有する。稼働データ送信パラメータ１０４ａは、台間カード処理機１０の稼働データ送信部１７ｃから配信されたデータであって、通知される情報の種類ごとにホールコンピュータ９０にどのように送信するのかを規定したデータである。具体的には図６で詳しく説明する。
【０１１３】
制御部１０５は、パルス変換機１００の全体を制御する制御部であり、データ中継処理部１０５ａ、上位通信状態監視部１０５ｂ及び下位通信状態監視部１０５ｃを有する。
【０１１４】
データ中継処理部１０５ａは、台間カード処理機１０から受け付けた情報を、稼働データ送信パラメータ１０４ａに規定された内容に従ってホールコンピュータ９０に通知する。稼働データ送信パラメータ１０４ａに設定される内容に従って、パルス出力部１０２を使用してホールコンピュータ９０に接続される信号線１０２ｅにパルス信号を出力する。
【０１１５】
上位通信状態監視部１０５ｂは、稼働データ送信パラメータ１０４ａで使用することになっているホールコンピュータ９０とのパルス通信用の信号線の状態を監視し、信号線の断線などの障害を検知した場合には、台間カード処理機１０に通信障害が発生の旨の通知を行う。
【０１１６】
下位通信状態監視部１０５ｃは、台間カード処理機１０とのシリアル通信の状態を監視し、障害を検知した場合には、稼働データ送信パラメータ１０４ａで使用することになっているホールコンピュータ９０とのパルス通信用の信号線に対して断線抵抗切替回路１０２ｂを使用して断線状態にする。
【０１１７】
次に、図２に示したパルス変換機１００の実施例１に係るデータ構成について説明する。図６は、パルス変換機１００の実施例１に係るデータ構成について説明するための説明図である。
【０１１８】
稼働データ送信パラメータ１０４ａは、パルス変換機１００を経由してホールコンピュータ９０に送信する情報の種類に関連付けられた、ポート番号をレコードの項目とするデータである。
【０１１９】
図６の稼働データ送信パラメータ１０４ａの例は、情報種類が「不正検知情報１」の情報は、ポート番号「２１」の信号線１０２ｅを使用してホールコンピュータ９０に通知することを示している。また、情報種類が「不正検知情報２」の情報は、ポート番号「２２」の信号線１０２ｅを使用してホールコンピュータ９０に通知することを示している。
【０１２０】
次に、図２に示した台間カード処理機１０と、その背面に取り付けられたパルス変換機１００とを含む装置の外観構成について図７を用いて説明する。
【０１２１】
図７に示すように、台間カード処理機１０の前面には、台間カード処理機１０の装置の状態を所定色のランプの点灯あるいは点滅で表示する状態表示部１１と、遊技玉を貸し出す際の各種紙幣を受け付ける紙幣挿入口１２ａと、タッチパネルディスプレイ等の表示操作部１３と、カードを受け付けるカード挿入口１４ａと、携帯端末等をかざすためのかざし部１４ｂとを有する。
【０１２２】
また、図７に示すように、台間カード処理機１０の背面から遊技機２０の背面に延びるようにして、パルス変換機１００及び電源ボックス１０ｇが配置されている。具体的には、台間カード処理機１０の本体が収容される枠体の背面側の遊技機側側面に対し、断面Ｌ字状の取付部材１０ｈを螺子止めにて取り付け、この取付部材１０ｈに対して電源ボックス１０ｇとパルス変換機１００を螺子止めすることで配置している。取付部材１０ｈの枠体への螺子止め部１０ｉ、１０ｊには、台間カード処理機１０の枠体への収容方向と並行に、螺子を差し込み可能な長孔が形成されている。この長孔は、孔の幅が螺子の軸部分が通過し、螺子の頭部分が通過しないように構成されており、台間カード処理機１０と取付部材１０ｈとの位置関係を台間カード処理機１０の枠体への収容方向に変更して固定することができるようになっている。このような構成は、取付部材１０ｈの前方に位置する遊技機２０の背面部の構造が異なったとしても、取付部材１０ｈの位置調整を行うことによって、取付部材と遊技機２０の背面部との干渉を防止する位置調整手段として作用するものである。
【０１２３】
また、取付部材１０ｈに対する電源ボックス１０ｇとパルス変換機１００との螺子止め部は、取付部材１０ｈの上端部に位置する第１の螺子止め部１０ｋ、１０ｍと、下部に位置する第２の螺子止め部１０ｎ、１０ｐを有する。第１の螺子止め部１０ｋ、１０ｍには、取付部材１０ｈの上端に向かって、少なくとも螺子の軸部分が通過可能な切れ込みが形成されている。第２の螺子止め部１０ｎ、１０ｐには、固定位置の螺子の軸部分が通過可能な螺子孔に連通して、上方に螺子頭が通過可能な大きさの孔が穿設されている。このことにより、電源ボックス１０ｇとパルス変換機１００は、取付部材１０ｈへの螺子止めを緩め、上方に向かってスライドさせ、さらに背面側に引き抜くことにより、それぞれ単独で取付部材から離脱させることができるようになっている。これらのことにより、一方を取付部材１０ｈに取り付けない状態で運用する形態に変更する場合や、メンテナンスのときなどの取外しが容易になっている。図７に示す構成の例は、台間カード処理機１０に図示しない遊技機表示操作部１０ｂなどが接続されることによって、電源ボックス１０ｇが位置していた筐体内の位置に、遊技機表示操作部１０ｂの制御部（図示せず）が収容される場合に、台間カード処理機１０内に電源ボックス１０ｇが収まらない場合の例を示している。このように配置されたパルス変換機１００及び電源ボックス１０ｇは、遊技機２０を手前に引き出すことによって容易にアクセスすることができる。
【０１２４】
次に、図７に示したパルス変換機１００が取り付けられた台間カード処理機１０の正面、底面及び右側面から見た外観構成について図８を用いて説明する。
【０１２５】
図８（ａ）は、台間カード処理機１０を正面から見たときの正面図である。図８（ａ）に示すように、パルス変換機１００及び電源ボックス１０ｇは、台間カード処理機１０の正面側から見ると、台間カード処理機１０より右側に配置されることになるので、台間カード処理機１０の右側に配置される遊技機２０を引き出すことによって容易にアクセス可能である。
【０１２６】
また、図８（ｂ）の台間カード処理機１０の右の側面からの側面図、図８（ｃ）の台間カード処理機１０の底面からの平面図に示すように、パルス変換機１００及び電源ボックス１０ｇは、台間カード処理機１０の筐体の最背部から、正面から見て右側に延びるようにして配置されている。台間カード処理機１０の奥行は通常の遊技機２０より大きいことから、パルス変換機１００及び電源ボックス１０ｇは、遊技機２０の筐体の位置を避けることができる。
【０１２７】
次に、図７に示したパルス変換機１００が取り付けられた台間カード処理機１０の背面から見たときの外観構成について図９を用いて説明する。
【０１２８】
パルス出力１８ｂは、台間カード処理機１０からホールコンピュータ９０へ直接接続されるパルス通信用の信号線１０２ｅが接続される端子である。シリアル・パルス出力部１８ａは台間カード処理機１０からのシリアル通信、あるいはパルス通信のケーブルが接続される端子である。シリアル・パルス出力部１８ａは、台間カード処理機１０あるいは上位装置での操作に基づいて、シリアル信号を出力する第１の動作と、パルス信号を出力する第２の動作を切り替えることができるようになっている。台間カード処理機１０には、パルス信号で出力する遊技情報の数が一定数以下の場合には、シリアル・パルス出力部１８ａからパルス信号で遊技情報を出力する動作が設定され、一定数を超える場合には、パルス変換機１００に向けて遊技情報をシリアル信号で出力する動作が設定される。このことにより、遊技情報のパルスを増設する場合にも容易に対応できるようになっている。ＬＣＤ通信用ケーブル１０ｅは遊技機表示操作部１０ｂと制御部１７を接続するケーブルである。また、それ以外に電源ハーネス１０ｃやＵＳＢ充電ケーブル１０ｄ、台間カード処理機１０からシリアル信号で遊技情報を出力するためのシリアル出力部１９ａが筐体から露出した状態となっている。
【０１２９】
パルス変換機１００は、シリアル・パルス出力部１８ａから出ているシリアル通信ケーブル１０ｆがシリアル入力１０１ａに入ることによって台間カード処理機１０と接続されている。パルス変換機１００は、パルス出力１０２ｄ及び断線抵抗切替スイッチ１０２ｆを有している。パルス変換機１００は、パルス出力１０２ｄに接続した信号線１０２ｅをホールコンピュータ９０に接続することによって、パルス変換機１００からホールコンピュータ９０にパルス通信を行うことが可能となる。また、断線抵抗切替スイッチ１０２ｆはディップスイッチであって、信号線１０２ｅに掛ける抵抗の調整を行うためのスイッチである。
【０１３０】
また、台間カード処理機１０から出ている電源ハーネス１０ｃは、パルス変換機１００の左側に配置される電源ボックス１０ｇと接続されている。電源ボックス１０ｇは、電源ケーブルを有しており、電源ケーブルを介して電源供給を受けると、電源ハーネス１０ｃを介して台間カード処理機１０に電源を供給する。
【０１３１】
次に、電源ボックス１０ｇが台間カード処理機１０の筐体内に収められている場合のパルス変換機１００が取り付けられた台間カード処理機１０の背面から見たときの外観構成について図１０を用いて説明する。
【０１３２】
図１０に示す構成例は、電源ボックス１０ｇが台間カード処理機１０の筐体内におさまっていることから、台間カード処理機１０の背面から横に延びる位置に配置されるのはパルス変換機１００のみである。図１０に示すように、パルス変換機１００の配置用の部材には、電源ボックス１０ｇが筐体内に収まらない場合に電源ボックス１０ｇを配置するための螺子止め用の穴が準備されている。図１０の構成は、電源ボックス１０ｇが台間カード処理機１０の筐体内に収まったこと以外については図９と同じなので、同じ部分についての説明は省略する。
【０１３３】
次に、図２に示した台間カード処理機１０とパルス変換機１００との間で通信障害が発生した時の処理内容を説明する。図１１は、台間カード処理機１０とパルス変換機１００との間で通信障害が発生した時の処理内容を説明するための説明図である。
【０１３４】
台間カード処理機１０とパルス変換機１００の間の通信障害が発生（ａ）した場合には、パルス変換機１００の下位通信状態監視部１０５ｃは、台間カード処理機１０との間のシリアル通信が障害であることを検知（ｂ）して、断線抵抗切替回路１０２ｂを利用して断線抵抗をなしの状態に切り替える（ｃ）。これによってホールコンピュータ９０は、台間カード処理機１０との接続が切断された状態であることを検知する（ｄ）。
【０１３５】
次に、図２に示したホールコンピュータ９０とパルス変換機１００との間で断線が発生した時の処理内容を説明する。図１２は、ホールコンピュータ９０とパルス変換機１００との間で断線が発生した時の処理内容を説明するための説明図である。
【０１３６】
パルス変換機１００とホールコンピュータ９０との線の状態が断線であることを、接続検知回路１０２ｃによって検知（ａ）したならば、パルス変換機１００の上位通信状態監視部１０５ｂは、ホールコンピュータ９０との間のパルス通信用の信号線１０２ｅが断線であることを検知（ｂ）して、台間カード処理機１０とのシリアル通信を通して台間カード処理機１０にホールコンピュータ９０とのパルス通信用の信号線１０２ｅが異常であることを通知する（ｃ）。これによって、台間カード処理機１０は、ホールコンピュータ９０との接続が切断された状態であることを検知する（ｄ）。上位通信状態監視部１０５ｂからの台間カード処理機１０へのホールコンピュータ９０とのパルス通信用の信号線１０２ｅが異常であることの通知は、シリアル通信を切断することをもって情報を通知するものとしても、ホールコンピュータ９０とのパルス通信用の信号線１０２ｅが異常であることを示すデータを送信するものとしてもよい。
【０１３７】
次に、図２に示したパルス変換機１００における実施例１に係る台間カード処理機１０からの遊技に係る情報の受信時の処理の処理手順を説明する。図１３は、パルス変換機１００における実施例１に係る台間カード処理機１０からの遊技に係る情報の受信時の処理手順を示すフローチャートである。
【０１３８】
台間カード処理機１０から打込情報、賞出情報、不正検知情報及び売上情報などの遊技に係る情報のデータを受け付けたならば（ステップＳ１０１；Ｙｅｓ）、データ中継処理部１０５ａは、受け付けたデータの内容から受け付けた情報の種類を識別する（ステップＳ１０２）。
【０１３９】
データ中継処理部１０５ａは、ステップＳ１０２で識別した情報種類と稼働データ送信パラメータ１０４ａとから、パルス信号を出力するポート番号を決定して（ステップＳ１０３）、決定したポートに対して情報種類に応じたパルス信号の出力を行って（ステップＳ１０４）、処理を終了する。
【０１４０】
台間カード処理機１０から打込情報、賞出情報、不正検知情報及び売上情報などの遊技に係る情報のデータを受信していない場合（ステップＳ１０１；Ｎｏ）には、処理を終了する。また、フローチャートに明示しないが、台間カード処理機１０から打込情報、賞出情報、不正検知情報及び売上情報などの遊技に係る情報のデータを受け付けていても、稼働データ送信パラメータ１０４ａに対応する情報種類のデータが存在しない場合には、ステップＳ１０４のパルス出力処理は行わず、受け付けた情報は読み捨てることとなる。
【０１４１】
次に、図１１及び図１２に示したパルス変換機１００における実施例１に係る通信障害検知時の処理手順を説明する。図１４は、パルス変換機１００における実施例１に係る通信障害検知時の処理手順を示すフローチャートである。
【０１４２】
上位通信状態監視部１０５ｂは、ホールコンピュータ９０との間のパルス通信用の信号線１０２ｅとシリアル通信の状態の監視を開始し、下位通信状態監視部１０５ｃは台間カード処理機１０とのシリアル通信の状態の監視を開始する（ステップＳ２０１）。上位通信状態監視部１０５ｂは、稼働データ送信パラメータ１０４ａを参照して使用しているパルス通信用の信号線１０２ｅを監視する。
【０１４３】
上位通信状態監視部１０５ｂがホールコンピュータ９０とのパルス通信用の信号線１０２ｅの断線を検知したならば（ステップＳ２０２；Ｙｅｓ）、上位通信状態監視部１０５ｂは、台間カード処理機１０に対してホールコンピュータ９０との間の通信障害が発生している旨の通知を行う（ステップＳ２０３）。上位通信状態監視部１０５ｂがホールコンピュータ９０とのパルス通信用の信号線１０２ｅの断線を検知していない場合（ステップＳ２０２；Ｎｏ）には、ステップＳ２０４に移行する。
【０１４４】
下位通信状態監視部１０５ｃが台間カード処理機１０とのシリアル通信の通信障害を検知した場合（ステップＳ２０４；Ｙｅｓ）には、下位通信状態監視部１０５ｃは、断線抵抗切替回路１０２ｂを使用して稼働データ送信パラメータ１０４ａに設定のある全てのパルス通信用の信号線１０２ｅの断線抵抗を無しに切り替えることによって当該信号線１０２ｅの断線をホールコンピュータ９０に通知して（ステップＳ２０５）、処理を終了する。
【０１４５】
また、下位通信状態監視部１０５ｃが台間カード処理機１０とのシリアル通信の通信障害を検知していない場合（ステップＳ２０４；Ｎｏ）には、ステップＳ２０５の処理をスキップして処理を終了する。
【０１４６】
上述してきたように、本実施例１では、パルス変換機１００は、台間カード処理機１０からシリアル通信で受け付けた通知をパルス通信に変換してホールコンピュータ９０に通知するようにした。また、台間カード処理機１０との通信障害を検知すると、ホールコンピュータ９０に通信障害の検知を通知し、ホールコンピュータ９０との通信障害を検知すると、台間カード処理機１０に通信障害の検知を通知するようにした。また、ホールコンピュータ９０が台間カード処理機１０からの全ての通知をシリアル通信で受け付けることができるようになった場合にはパルス変換機１００を取り外して台間カード処理機１０とホールコンピュータ３９０をシリアル通信で直接接続するシステム構成に移行することができるよう構成したので、新たな形式の情報を出力する遊技機２０の導入にあたり、既存のホール設備が収集している情報を支障なく提供するとともに、遊技機２０が出力する新たな形式の情報を好適に収集することができる。
【実施例２】
【０１４７】
実施例１では、パルス変換機１００は、台間カード処理機１０からシリアル通信により情報を取得して、パルス通信によって取得した情報をホールコンピュータ９０に送信するという説明を行った。また、ホールコンピュータ９０が一部の情報をシリアル通信で受け付けることができるようになった場合には、シリアル通信部１９を用いることによって台間カード処理機１０から直接ホールコンピュータ９０に情報送信することにしていた。ところが、パルス通信とシリアル通信が混在する場合の実現方式はこれに限定されるものではない。実施例２では、パルス変換機１００にパルス出力以外にシリアル出力を設けることによって、ホールコンピュータ９０が一部の情報をシリアル通信で受け付けることができるようになった場合に、シリアル出力を備えたパルス変換機３００を介して、シリアル対応された情報を送信する実施例を説明する。
【０１４８】
次に、台間カード処理機３１０及び遊技機２０の実施例２に係る内部構成を説明する。図１５は、台間カード処理機３１０及び遊技機２０の実施例２に係る内部構成を示すブロック図である。図１５では、図３に示した実施例１の台間カード処理機１０と同じ構成要素については同じ符号を付与し、台間カード処理機１０と同じ構成要素についての説明は省略して、台間カード処理機１０と異なる構成要素について主に説明する。
【０１４９】
図１５に示すように、台間カード処理機３１０の構成要素の中で実施例１の台間カード処理機１０の構成要素と異なるのは、記憶部１６の稼働データ送信パラメータ３１６ｃだけである。稼働データ送信パラメータ３１６ｃのデータ構成は、実施例１の稼働データ送信パラメータ１６ｃと比較すると、パルス変換機３００の処理に関するパラメータが追加となっている。台間カード処理機３１０の制御部１７は、稼働データ送信パラメータ３１６ｃを使用するものの、稼働データ送信パラメータ３１６ｃで追加になっている情報は台間カード処理機３１０の処理に関係する内容ではないので、実施例１の制御部１７に代わりはない。稼働データ送信パラメータ３１６ｃの詳細な形式は図１６で説明する。
【０１５０】
次に、台間カード処理機３１０の実施例２に係るデータ構成について説明する。図１６は、台間カード処理機３１０の実施例２に係るデータ構成について説明するための説明図である。
【０１５１】
稼働データ送信パラメータ３１６ｃは、ホールコンピュータ９０に送信する情報の種類ごとに、通信区分、ポート番号及びパルス変換機情報をレコードの項目とするデータである。通信区分には「パルス」と「シリアル」があり、「パルス」が設定されている場合には、パルス出力部１８を使用して直接ホールコンピュータ９０にパルス通信によって情報を通知することを示す。また、通信区分に「シリアル」が設定されている場合には、シリアル通信部１９を使用して、パルス変換機１００を経由するなどしてホールコンピュータ９０に情報を通知することを示す。通信区分が「パルス」の場合には、パルス信号の出力を行うポート番号を規定する。また、通信区分が「シリアル」の場合には、ポート番号の規定はないがパルス変換機情報が設定される。パルス変換機情報には、パルス変換機１００とホールコンピュータ９０との間の通信区分とポート番号を有する。パルス変換機情報の通信区分にも「パルス」と「シリアル」があり、「パルス」が設定されている場合には、パルス変換機１００においてシリアル通信で受け付けた情報をパルス通信に変換してホールコンピュータ９０に通知することを示している。また、パルス変換機情報の通信区分に「シリアル」が設定されている場合には、パルス変換機１００においてシリアル通信で受け付けた情報をシリアル通信でホールコンピュータ９０に通知することを示している。
【０１５２】
図１６の稼働データ送信パラメータ３１６ｃの例は、情報種類が「打込情報」の情報は、「パルス」通信によってポート番号「１」の信号線を使用して直接ホールコンピュータ９０に通知することを示している。また、情報種類が「賞出情報」の情報は、「パルス」通信によってポート番号「２」の信号線を使用して直接ホールコンピュータ９０に通知することを示している。また、情報種類が「大当情報」の情報は、「パルス」通信によってポート番号「３」の信号線を使用して直接ホールコンピュータ９０に通知することを示している。また、情報種類が「不正検知情報１」の情報は、「シリアル」通信によってパルス変換機１００に送信されて、パルス変換機１００から「パルス」通信によってポート番号「２１」の信号線を使用してホールコンピュータ９０に通知することを示している。また、情報種類が「不正検知情報２」の情報は、「シリアル」通信によってパルス変換機１００に送信されて、パルス変換機１００から「パルス」通信によってポート番号「２２」の信号線を使用してホールコンピュータ９０に通知することを示している。また、情報種類が「玉貸情報」の情報は、「パルス」通信によってポート番号「１１」の信号線を使用して直接ホールコンピュータ９０に通知することを示している。また、情報種類が「計数情報」の情報は、「パルス」通信によってポート番号「１２」の信号線を使用して直接ホールコンピュータ９０に通知することを示している。また、情報種類が「持玉再プレイ情報」の情報は、「パルス」通信によってポート番号「１３」の信号線を使用して直接ホールコンピュータ９０に通知することを示している。
【０１５３】
稼働データ送信部１７ｃは、稼働データ送信パラメータ３１６ｃに規定された内容に従って情報をホールコンピュータ９０またはパルス変換機１００に通知する。また、稼働データ送信部１７ｃは、パルス変換機１００に係る情報が更新された場合には、パルス変換機１００に関連する情報を配信する。
【０１５４】
次に、パルス変換機３００の実施例２に係る内部構成を説明する。図１７は、パルス変換機３００の実施例２に係る内部構成を示すブロック図である。図１７では、図５に示した実施例１のパルス変換機１００と同じ構成要素については同じ符号を付与し、パルス変換機１００と同じ構成要素についての説明は省略して、パルス変換機１００と異なる構成要素について主に説明する。パルス変換機３００は、パルス変換機１００と比較すると、ホールコン通信部３０３が追加となっている。また記憶部１０４の稼働データ送信パラメータ３０４ａも実施例１の稼働データ送信パラメータ１０４ａと差異がある。制御部１０５については、データ中継処理部３０５ａ、上位通信状態監視部３０５ｂ及び下位通信状態監視部３０５ｃが、それぞれ実施例１のデータ中継処理部１０５ａ、上位通信状態監視部１０５ｂ及び下位通信状態監視部１０５ｃと差異がある。
【０１５５】
稼働データ送信パラメータ３０４ａは、台間カード処理機３１０の稼働データ送信パラメータ３１６ｃのパルス変換機３００に係る部分が反映された構造となっている。具体的には図１８で詳しく説明するが、ホールコンピュータ９０に対してシリアル通信で送るケースを考慮したデータ構造となっている。
【０１５６】
制御部１０５のデータ中継処理部３０５ａは、ホールコンピュータ９０に対してシリアル通信でデータ転送する機能が追加となっている。また、上位通信状態監視部３０５ｂ及び下位通信状態監視部３０５ｃは、ホールコンピュータ９０との接続はパルス通信による接続だけではなくシリアル通信による接続を有している場合があることから、ホールコンピュータ９０とのシリアル通信接続を監視したり、台間カード処理機３１０とのシリアル通信の障害を検知した場合には、ホールコンピュータ９０とのシリア通信接続に対して障害を通知する機能が追加となっている。
【０１５７】
次に、パルス変換機３００の実施例２に係るデータ構成について説明する。図１８は、パルス変換機３００の実施例２に係るデータ構成について説明するための説明図である。
【０１５８】
稼働データ送信パラメータ３０４ａは、パルス変換機３００を経由してホールコンピュータ９０に送信する情報の種類ごとに、通信区分及びポート番号をレコードの項目とするデータである。通信区分には「パルス」と「シリアル」があり、「パルス」が設定されている場合には、ホールコンピュータ９０にパルス通信によって情報を通知することを示す。また、通信区分に「シリアル」が設定されている場合には、シリアル通信によってホールコンピュータ９０に情報を通知することを示す。通信区分が「パルス」の場合には、パルス信号の出力を行うポート番号を規定する。
【０１５９】
図１８の稼働データ送信パラメータ３０４ａの例は、情報種類が「不正検知情報１」の情報は、「パルス」通信によってポート番号「２１」の信号線１０２ｅを使用してホールコンピュータ９０に通知することを示している。また、情報種類が「不正検知情報２」の情報は、「パルス」通信によってポート番号「２２」の信号線１０２ｅを使用してホールコンピュータ９０に通知することを示している。
【０１６０】
次に、台間カード処理機３１０の背面の外観構成とパルス変換機３００の外観構成を説明する。図１９は、台間カード処理機３１０の背面の外観構成とパルス変換機３００の外観構成を示す図である。
【０１６１】
シリアル・パルス出力部１８ａ及びパルス出力１８ｂは、台間カード処理機３１０からホールコンピュータ９０へ直接接続されるパルス通信用の信号線１０２ｅが接続される端子である。シリアル出力部１９ａは台間カード処理機３１０からのシリアル通信のケーブルが接続される端子である。ＬＣＤ通信用ケーブル１０ｅは遊技機表示操作部１０ｂと制御部１７を接続するケーブルである。また、それ以外に電源ハーネス１０ｃやＵＳＢ充電ケーブル１０ｄが筐体から露出した状態となっている。
【０１６２】
パルス変換機３００は、シリアル出力部１９ａから出ているシリアル通信ケーブル１０ｆがシリアル入力１０１ａに入ることによって台間カード処理機３１０と接続されている。パルス変換機３００は、シリアル出力３０３ａとパルス出力１０２ｄを有する。パルス出力１０２ｄに接続した信号線１０２ｅをホールコンピュータ９０に接続することによって、パルス変換機３００からホールコンピュータ９０にパルス通信を行うことが可能となる。また、シリアル出力３０３ａに接続したシリアル通信ケーブルをホールコンピュータ９０に接続することによって、パルス変換機３００からホールコンピュータ９０にシリアル通信を行うことが可能となる。
【０１６３】
次に、図１９に示した台間カード処理機３１０の背面に露出しているケーブル類及びパルス変換機３００を収納することのできるノイズ防止カバー３１１の構成を説明する。図２０は、ノイズ防止カバー３１１の構成を説明するための説明図である。図２０の右の図に示すようにノイズ防止カバー３１１は、取り付け板３１１ａとカバー３１１ｂとで構成されている。
【０１６４】
ノイズ防止カバー３１１は、取り付け板３１１ａによって台間カード処理機３１０の枠体に取り付けることができる。具体的には、図２０の右の図に示す取り付け板３１１ａの下部を台間カード処理機３１０の枠体に差し込んで、上部を台間カード処理機３１０の枠体に対して螺子止めすることによって固定する。この、取り付け板３１１ａの下部を差し込む口は、従来の台間カード処理機３１０の玉補給管の固定部を利用している。
【０１６５】
また、このようにして台間カード処理機３１０に対して固定された取り付け板３１１ａに対して、カバー３１１ｂは、その上部を取り付け板３１１ａの上部にある差し込み口に差し込んで、カバー３１１ｂの下部を取り付け板３１１ａに対して螺子止めすることによって固定する。また、カバー３１１ｂは、その内部にパルス変換機３００を螺子止めすることによって取り付けることが可能である。また、当該部位にパルス変換機３００を取り付けると、図２１に示すようにノイズ防止カバー３１１が台間カード処理機３１０に取り付けられた状態で、シリアル出力３０３ａ及びパルス出力１０２ｄへのケーブルの抜き差しを行うことが可能である。
【０１６６】
図２０に示した取り付け板３１１ａ及びカバー３１１ｂは、金属製であり、通信線を内部に格納することによって、格納した通信線に対する外部からのノイズを低減することができる。しかしながら、形状や材質に関してはこれに限定されるものではない。例えば、取り付け板３１１ａやカバー３１１ｂにスリットを設けたり、板金の一部にフィルムでカバーした窓を設けて内部を確認できるようにしてもよい。また、例えば、取り付け板３１１ａ及びカバー３１１ｂの材質を透明な導電性樹脂にしてもよく、導電性樹脂にすることによってノイズ防止の効果も有しつつ、透明であることから内部を確認することも可能となる。
【０１６７】
次に、図１９に示した台間カード処理機３１０の背面に図２０で示したノイズ防止カバー３１１を取り付けた時の外観構成を説明する。図２１は、台間カード処理機３１０の背面にノイズ防止カバー３１１を取り付けた時の外観構成を示す図である。図１９に示したノイズ防止カバー３１１が取り付けられていない状態では、通信ケーブルが露出した状態であり外部からのノイズの影響を受けやすい。また、複数のケーブルが露出した状態だとケーブルを引っ掛けたり、挟んで破損させてしまうといった事態が発生しやすくなってしまう。また、パルス変換機３００の設置場所の考慮も必要となってしまう。そこで、通信ケーブルを金属製のカバーで覆うことによってノイズやケーブル破損から保護するとともに、当該金属製のカバーにパルス変換機３００を固定することによってパルス変換機３００の設置場所を確保した例が図２１に示す外観図である。
【０１６８】
ノイズ防止カバー３１１は、図１９で露出していたＬＣＤ通信用ケーブル１０ｅ、ＵＳＢ充電ケーブル１０ｄ及びシリアル通信ケーブル１０ｆを収納する。また、ノイズ防止カバー３１１は、シリアル通信ケーブル１０ｆで台間カード処理機３１０と接続されたパルス変換機３００を内部に収容して、ノイズ防止カバー３１１を取り付けた状態でパルス出力１０２ｄ及びシリアル出力３０３ａを使用可能な状態に固定する。
【０１６９】
ノイズ防止カバー３１１によって、ＬＣＤ通信用ケーブル１０ｅ、ＵＳＢ充電ケーブル１０ｄ及びシリアル通信ケーブル１０ｆに対する外部からのノイズの影響を低減し、これらのケーブルの破損を防止し、パルス変換機３００の設置場所を確保することを可能としている。
【０１７０】
次に、パルス変換機３００における実施例２に係る台間カード処理機３１０からの遊技に係る情報の受信時の処理の処理手順を説明する。図２２は、パルス変換機３００における実施例２に係る台間カード処理機３１０からの遊技に係る情報の受信時の処理手順を示すフローチャートである。
【０１７１】
台間カード処理機３１０から打込情報、賞出情報、不正検知情報及び売上情報などの遊技に係る情報のデータを受け付けたならば（ステップＳ３０１；Ｙｅｓ）、データ中継処理部３０５ａは、受け付けたデータの内容から受け付けた情報の種類を識別する（ステップＳ３０２）。データ中継処理部３０５ａは、ステップＳ３０２で識別した情報の種類と稼働データ送信パラメータ３０４ａとから、ホールコンピュータ９０へ情報を転送する際の通信区分の判定を行う（ステップＳ３０３）。
【０１７２】
ステップＳ３０３の判定の結果、ホールコンピュータ９０へ情報を転送する際の通信区分がパルス通信であった場合（ステップＳ３０３；Ｙｅｓ）には、データ中継処理部３０５ａは、ステップＳ３０２で識別した情報種類と稼働データ送信パラメータ３０４ａとから、パルス信号を出力するポート番号を決定して（ステップＳ３０４）、決定したポートに対して情報種類に応じたパルス信号の出力を行って（ステップＳ３０５）、処理を終了する。
【０１７３】
ステップＳ３０３の判定の結果、ホールコンピュータ９０へ情報を転送する際の通信区分がシリアル通信であった場合（ステップＳ３０３；Ｎｏ、ステップＳ３０６；Ｙｅｓ）には、データ中継処理部３０５ａは、台間カード処理機３１０から受け付けたデータをホールコン通信部３０３を使用してシリアル通信でホールコンピュータ９０に通知して（ステップＳ３０７）、処理を終了する。
【０１７４】
台間カード処理機３１０から打込情報、賞出情報、不正検知情報及び売上情報などの遊技に係る情報のデータを受信していない場合（ステップＳ３０１；Ｎｏ）には、処理を終了する。また、台間カード処理機３１０から打込情報、賞出情報、不正検知情報及び売上情報などの遊技に係る情報のデータを受け付けていても、ステップＳ３０３の判定の結果、ホールコンピュータ９０へ情報を転送する際の通信区分がパルス通信でもシリアル通信でもない場合（ステップＳ３０６；Ｎｏ）には、処理を終了する。これは、例えば台間カード処理機３１０から新たな情報種類のデータが通知されるようになったが、ホールコンピュータ９０がパルス通信でもシリアル通信でも受け付ける機能が無いような場合であって、パルス変換機３００は受け付けるが何も処理を行わずに読み捨てることとなる。
【０１７５】
次に、パルス変換機３００における実施例２に係る通信障害検知時の処理手順を説明する。図２３は、パルス変換機３００における実施例２に係る通信障害検知時の処理手順を示すフローチャートである。
【０１７６】
上位通信状態監視部３０５ｂは、ホールコンピュータ９０との間のパルス通信用の信号線１０２ｅとシリアル通信の状態の監視を開始し、下位通信状態監視部３０５ｃは台間カード処理機３１０とのシリアル通信の状態の監視を開始する（ステップＳ４０１）。上位通信状態監視部３０５ｂは、稼働データ送信パラメータ３０４ａを参照して使用しているパルス通信用の信号線１０２ｅとシリアル通信を監視するものであって、シリアル通信でホールコンピュータ９０に通知するような情報が存在しない場合にはシリアル通信の監視は行わない。
【０１７７】
上位通信状態監視部３０５ｂがホールコンピュータ９０とのパルス通信用の信号線１０２ｅの断線若しくはシリアル通信の通信障害を検知したならば（ステップＳ４０２；Ｙｅｓ）、上位通信状態監視部３０５ｂは、台間カード処理機３１０に対してホールコンピュータ９０との間の通信障害が発生している旨の通知を行う（ステップＳ４０３）。上位通信状態監視部３０５ｂがホールコンピュータ９０とのパルス通信用の信号線１０２ｅの断線若しくはシリアル通信の通信障害のいずれも検知していない場合（ステップＳ４０２；Ｎｏ）には、ステップＳ４０４に移行する。
【０１７８】
下位通信状態監視部３０５ｃが台間カード処理機３１０とのシリアル通信の通信障害を検知して（ステップＳ４０４；Ｙｅｓ）、稼働データ送信パラメータ３０４ａを参照してパルス通信によるホールコンピュータ９０への情報の通知がある場合（ステップＳ４０５；Ｙｅｓ）には、下位通信状態監視部３０５ｃは、断線抵抗切替回路１０２ｂを使用して稼働データ送信パラメータ３０４ａに設定のある全てのパルス通信用の信号線１０２ｅの断線抵抗を無しに切り替えることによって当該信号線１０２ｅの断線をホールコンピュータ９０に通知する（ステップＳ４０６）。また、稼働データ送信パラメータ３０４ａを参照してパルス通信によるホールコンピュータ９０への情報の通知がない場合（ステップＳ４０５；Ｎｏ）には、ステップＳ４０７に移行する。また、稼働データ送信パラメータ３０４ａを参照してシリアル通信によるホールコンピュータ９０への情報の通知がある場合（ステップＳ４０７；Ｙｅｓ）には、下位通信状態監視部３０５ｃは、ホールコン通信部３０３を介してホールコンピュータ９０に台間カード処理機３１０との間の通信障害が発生している旨の通知を行って（ステップＳ４０８）、処理を終了する。
【０１７９】
また、下位通信状態監視部３０５ｃが次に台間カード処理機３１０とのシリアル通信の通信障害を検知していない場合（ステップＳ４０４；Ｎｏ）には、処理を終了する。また、稼働データ送信パラメータ３０４ａを参照してシリアル通信によるホールコンピュータ９０への情報の通知がない場合（ステップＳ４０７；Ｎｏ）にも、処理を終了する。
【０１８０】
上述してきたように、本実施例２では、パルス変換機３００は、台間カード処理機３１０からシリアル通信で受け付けた通知を設定内容に従って、パルス通信に変換してホールコンピュータ９０に通知するか、若しくはシリアル通信でホールコンピュータ９０に通知するようにした。また、台間カード処理機３１０との通信障害を検知すると、ホールコンピュータ９０に通信障害の検知を通知し、ホールコンピュータ９０との通信障害を検知すると、台間カード処理機３１０に通信障害の検知を通知するようにした。また、ホールコンピュータ９０が台間カード処理機３１０からの全ての通知をシリアル通信で受け付けることができるようになった場合にはパルス変換機３００を取り外して台間カード処理機３１０とホールコンピュータ３９０をシリアル通信で直接接続するシステム構成に移行することができるよう構成したので、新たな形式の情報を出力する遊技機２０の導入にあたり、既存のホール設備が収集している情報を支障なく提供するとともに、遊技機２０が出力する新たな形式の情報を好適に収集することができる。
【実施例３】
【０１８１】
実施例１及び実施例２では、１台の台間カード処理機１０、３１０に対してとパルス変換機１００、３００を１台接続する構成として説明したが、本発明はこれに限定されるものではない。実施例３では、複数台の台間カード処理機１０と１台のパルス変換機２００とが接続されるような構成の実施例の説明を行う。
【０１８２】
まず、実施例３に係る遊技機２０、台間カード処理機１０、パルス変換機２００及びホールコンピュータ９０の接続構成を説明する。図２４は、実施例３に係る遊技機２０、台間カード処理機１０、パルス変換機２００及びホールコンピュータ９０の接続構成を示す図である。
【０１８３】
台間カード処理機１０からは、実施例１と同じようにパルス変換機２００へ接続されるシリアル通信の通信ケーブルとホールコンピュータ９０に直接接続されるパルス通信用の信号線が出ている。パルス変換機２００は、実施例１では台間カード処理機１０とパルス変換機１００は１対１の接続であったが、実施例３のパルス変換機２００は複数台の台間カード処理機１０を収容することが可能である。パルス変換機２００は台間カード処理機１０からシリアル通信で受け付けた情報を、情報の通知元の台間カード処理機１０と情報の種類に応じたパルス通信用の信号線のポートにパルス信号を出力することによってホールコンピュータ９０に情報を通知する。
【０１８４】
図２４に示した台間カード処理機１０とパルス変換機２００との接続は、台間カード処理機１０とパルス変換機２００とを独立なケーブルで直接接続するような図となっているが、本発明はこれに限定されるものではない。例えば、ＬＡＮ通信などのようにバス型やスター型の接続形態であってもよい。
【０１８５】
このようにパルス変換機２００に複数台の台間カード処理機１０を収容するようにすることから、パルス変換機２００については、遊技機２０のグループ（例えば島など）の単位でパルス変換機２００を設置すればよいこととなるので、設置に関する自由度を高くすることができる。
【０１８６】
次に、図２４に示したパルス変換機２００の実施例３に係る内部構成を説明する。図２５は、パルス変換機２００の実施例３に係る内部構成を示すブロック図である。図２５に示したように、パルス変換機２００は、各台装置通信部２０１と、パルス出力部１０２と、第二パルス出力部２０６と、第三パルス出力部２０７と、第四パルス出力部２０８と、記憶部２０４及び制御部２０５を有する。実施例１で示したパルス変換機１００と同じ部分については同じ符号を付けて説明を省略する。また、その他の部分についても図１７で説明した実施例１のパルス変換機１００との差異を中心に説明する。
【０１８７】
各台装置通信部２０１は、４台の台間カード処理機１０とのシリアル通信を行うためのインタフェース部である。また、パルス出力部１０２は実施例１のパルス変換機１００のパルス出力部１０２と同じである。また、パルス変換機２００は複数台の台間カード処理機１０と接続されることから、ホールコンピュータ９０に対しても台間カード処理機１０ごとに異なるパルス通信用の信号線１０２ｅ、２０６ｅ、２０７ｅ、２０８ｅで接続されている。よって、実施例１のパルス変換機１００はパルス出力部１０２が１つだけであったが、実施例３のパルス変換機２００ではパルス出力部１０２以外に、第二パルス出力部２０６、第三パルス出力部２０７及び第四パルス出力部２０８を有し、それぞれ信号線２０６ｅ、２０７ｅ、２０８ｅでホールコンピュータ９０と接続されている。また、図では省略したが、第二パルス出力部２０６、第三パルス出力部２０７及び第四パルス出力部２０８の内部構成はパルス出力部１０２と同じで、パルス出力回路、断線抵抗切替回路及び接続検知回路を有している。
【０１８８】
記憶部２０４は稼働データ送信パラメータ２０４ａを有している。実施例１の稼働データ送信パラメータ１０４ａでは、接続されている１台の台間カード処理機１０からの通知情報のホールコンピュータ９０に対する通知の仕方を規定したデータであったが、実施例３の稼働データ送信パラメータ２０４ａは接続される複数台の台間カード処理機１０ごとに通知される情報のホールコンピュータ９０に対する通知の仕方を規定したデータとなっている。
【０１８９】
制御部２０５は、パルス変換機２００を全体制御する制御部であり、データ中継処理部２０５ａ、上位通信状態監視部２０５ｂ及び下位通信状態監視部２０５ｃを有する。
【０１９０】
データ中継処理部２０５ａは、実施例１のデータ中継処理部１０５ａと比較すると、複数の台間カード処理機１０と接続となったことから、それぞれの台間カード処理機１０に対応してパルス出力部１０２、第二パルス出力部２０６、第三パルス出力部２０７若しくは第四パルス出力部２０８のいずれを使用するのかを稼働データ送信パラメータ２０４ａを参照して決定するプロセスが追加となっている。
【０１９１】
また、上位通信状態監視部２０５ｂについても、実施例１の上位通信状態監視部１０５ｂと比較すると、複数の台間カード処理機１０と接続となったことにともなってホールコンピュータ９０とのパルス通信用の信号線２０６ｅ、２０７ｅ、２０８ｅが追加となっていることから、追加となっているパルス通信用の信号線２０６ｅ、２０７ｅ、２０８ｅの監視が追加となっている。また、全てのパルス通信用の信号線１０２ｅ、２０６ｅ、２０７ｅ、２０８ｅを監視して断線を検知した場合に、稼働データ送信パラメータ２０４ａを参照して障害通知を送るべき台間カード処理機１０を決定するプロセスが追加となっている。
【０１９２】
下位通信状態監視部２０５ｃは、複数接続される全ての台間カード処理機１０との通信状態を監視する。下位通信状態監視部２０５ｃは、いずれかの台間カード処理機１０との通信障害を検知した場合には、稼働データ送信パラメータ２０４ａを参照して、通信障害が検知された台間カード処理機１０に対応するパルス通信用の信号線１０２ｅ、２０６ｅ、２０７ｅ、２０８ｅを特定して、特定した信号線１０２ｅ、２０６ｅ、２０７ｅ、２０８ｅの断線抵抗を無しに切り替えることによってホールコンピュータ９０に台間カード処理機１０との間の通信障害の発生を通知する。
【０１９３】
次に、図２４に示したパルス変換機２００における実施例３に係る台間カード処理機１０からの遊技に係る情報の受信時の処理手順を説明する。図２６は、パルス変換機２００における実施例３に係る台間カード処理機１０からの遊技に係る情報の受信時の処理手順を示すフローチャートである。
【０１９４】
台間カード処理機１０から打込情報、賞出情報、不正検知情報及び売上情報などの遊技に係る情報のデータを受け付けたならば（ステップＳ５０１；Ｙｅｓ）、データ中継処理部２０５ａは、受け付けたデータの内容から当該通知を送付してきた台間カード処理機１０を特定して（ステップＳ５０２）、受け付けた情報の種類を識別する（ステップＳ５０３）。
【０１９５】
データ中継処理部２０５ａは、ステップＳ５０２で特定した台間カード処理機１０の識別情報と稼働データ送信パラメータ２０４ａとから、信号線１０２ｅ、２０６ｅ、２０７ｅ若しくは２０８ｅのいずれを使用するのかを決定する（ステップＳ５０４）。さらに、データ中継処理部２０５ａは、ステップＳ５０３で識別した情報種類と稼働データ送信パラメータ２０４ａとから、パルス信号を出力するポート番号を決定して（ステップＳ５０５）、決定したポートに対して情報種類に応じたパルス信号の出力を行って（ステップＳ５０６）、処理を終了する。
【０１９６】
台間カード処理機１０から打込情報、賞出情報、不正検知情報及び売上情報などの遊技に係る情報のデータが受信されていない場合（ステップＳ５０１；Ｎｏ）には、処理を終了する。
【０１９７】
次に、図２４に示したパルス変換機２００における実施例３に係る通信障害検知時の処理手順を説明する。図２７は、パルス変換機２００における実施例３に係る通信障害検知時の処理手順を示すフローチャートである。
【０１９８】
上位通信状態監視部２０５ｂは、ホールコンピュータ９０との間のパルス通信用の信号線１０２ｅ、２０６ｅ、２０７ｅ、２０８ｅとシリアル通信の状態の監視を開始し、下位通信状態監視部２０５ｃは台間カード処理機１０とのシリアル通信の状態の監視を開始する（ステップＳ６０１）。上位通信状態監視部２０５ｂは、稼働データ送信パラメータ２０４ａを参照して使用されているパルス通信用の信号線１０２ｅ、２０６ｅ、２０７ｅ、２０８ｅを監視する。
【０１９９】
上位通信状態監視部２０５ｂがホールコンピュータ９０とのパルス通信用の信号線１０２ｅ、２０６ｅ、２０７ｅ、２０８ｅの断線を検知したならば（ステップＳ６０２；Ｙｅｓ）、上位通信状態監視部２０５ｂは、障害を検知した信号線１０２ｅ、２０６ｅ、２０７ｅ、２０８ｅに対応する台間カード処理機１０を稼働データ送信パラメータ２０４ａを参照して特定して（ステップＳ６０３）、特定した全ての台間カード処理機１０に対してホールコンピュータ９０との間の通信障害が発生している旨の通知を行う（ステップＳ６０４）。上位通信状態監視部２０５ｂがホールコンピュータ９０とのパルス通信用の信号線１０２ｅ、２０６ｅ、２０７ｅ、２０８ｅの断線を検知していない場合（ステップＳ６０２；Ｎｏ）には、ステップＳ６０５に移行する。
【０２００】
下位通信状態監視部２０５ｃが接続されるいずれかの台間カード処理機１０とのシリアル通信の通信障害を検知したならば（ステップＳ６０５；Ｙｅｓ）、稼働データ送信パラメータ２０４ａを参照して通信障害が検知された台間カード処理機１０に対応するホールコンピュータ９０と接続されるパルス通信用の信号線１０２ｅ、２０６ｅ、２０７ｅ、２０８ｅを特定する（ステップＳ６０６）。下位通信状態監視部２０５ｃは、ステップＳ６０６で特定したパルス通信用の信号線１０２ｅ、２０６ｅ、２０７ｅ、２０８ｅの断線抵抗を無しに切り替えることによって当該信号線１０２ｅ、２０６ｅ、２０７ｅ、２０８ｅの断線をホールコンピュータ９０に通知して（ステップＳ６０７）、処理を終了する。
【０２０１】
また、下位通信状態監視部２０５ｃが接続されるいずれの台間カード処理機１０との間のシリアル通信の通信障害も検知していない場合（ステップＳ６０５；Ｎｏ）には、処理を終了する。
【０２０２】
上述してきたように、本実施例３では、パルス変換機２００は、複数の台間カード処理機１０と接続し、台間カード処理機１０からシリアル通信で受け付けた通知をパルス通信に変換してホールコンピュータ９０に通知するようにした。また、台間カード処理機１０との通信障害を検知すると、ホールコンピュータ９０に通信障害となった台間カード処理機１０の識別情報を含む通信障害通知を送信し、ホールコンピュータ９０との通信障害を検知すると、障害を検知した信号線若しくはシリアル通信に対応する台間カード処理機１０を特定し、特定された台間カード処理機１０に通信障害の検知を通知するようにした。また、ホールコンピュータ９０が台間カード処理機１０からの全ての通知をシリアル通信で受け付けることができるようになった場合にはパルス変換機２００を取り外して台間カード処理機１０とホールコンピュータ９０をシリアル通信で直接接続するシステム構成に移行することができるよう構成したので、新たな形式の情報を出力する遊技機２０の導入の後で、封入式の遊技機２０に対応したホール設備に切り替わるまでの間に、設置するパルス変換機２００の設置性の向上を図りつつ、既存のホール設備が収集している情報を支障なく提供するとともに、遊技機２０が出力する新たな形式の情報を好適に収集することができる。
【０２０３】
なお、上述の実施例１、実施例２及び実施例３は、台間カード処理機１０、３１０は、稼働データ送信パラメータ１６ｃ、３１６ｃの通信区分に「パルス」と設定されている場合には、従来の開放式の遊技機１２０に併設されている台間カード処理機１１０が従来のホールコンピュータ２９０に送信するタイミングと同じタイミングでホールコンピュータ９０若しくはパルス変換機１００、２００、３００に情報を送信するものとしたが、本発明はこれに限定されるものではない。例えば、送信する情報の種類ごとに送信するタイミングの設定を可能として、従来タイミングと情報取得都度の指定を可能としてもよい。送信するタイミングに情報取得都度の指定がされた場合には、ほぼリアルタイムな情報をホールコンピュータ９０に送信することも可能となる。
【実施例４】
【０２０４】
実施例１、実施例２及び実施例３では、封入式の遊技機２０がシリアル通信により台間カード処理機１０に通知する打込情報、賞出情報及び不正検知情報などの遊技機２０の稼働情報を、パルス変換機１００、２００、３００を用いてパルス信号に変換して現行のホールコンピュータ９０に送信する方式を説明してきた。しかしながら、封入式の遊技機２０は同一の製造元であっても複数の種類が存在し、特に製造元が違う場合には台間カード処理機１０に通知される情報の形式に差異があることが一般的である。また、封入式の遊技機２０から通知される稼働情報には、従来の遊技機２０がホールコンピュータ９０に通知していた情報以外の情報も含まれている。そこで、実施例４では、複数種類の封入式の遊技機２０を導入する店舗において、形式の異なる複数種類の遊技機２０の稼働情報を受け付けて、現行のホールコンピュータ９０が収集している情報を、現行のホールコンピュータ９０が受信可能なパルス通信に変換して送信する方式について説明する。
【０２０５】
まず、実施例４に係る遊技機２０、台間カード処理機２１０、ホールコンピュータ９０、管理装置１４０及び台情報管理装置１３０を含む遊技システムのシステム構成を、図２８を用いて説明する。図２８は、実施例１の図２で示したシステム構成図と比較して構成が変更になっている部分を主に説明するためのシステム構成図である。図２８に示すように、実施例４のシステム構成では遊技店内の管理装置１４０と、管理センタに設置される台情報管理装置１３０が追加されている。
【０２０６】
台間カード処理機２１０は、通信回線８０及び島コントローラ３０を経由して管理装置１４０と通信接続する。台間カード処理機２１０は、管理装置１４０と通信接続されると、台間カード処理機２１０に対応する遊技機２０の種類を示す情報を含む変換テーブル取得要求を管理装置１４０に送信する。管理装置１４０は、変換テーブル取得要求を受け付けると、変換テーブル取得要求に含まれる遊技機２０の種類に応じた変換テーブルを要求元の台間カード処理機２１０に返信する。
【０２０７】
台間カード処理機２１０は、管理装置１４０から変換テーブル取得要求の応答により受け付けた変換テーブルを記憶する。台間カード処理機２１０は、遊技機２０から打込情報、賞出情報及び不正検知情報などの遊技機２０の稼働情報を受け付けたならば、記憶した変換テーブルを用いて受け付けた遊技機２０の稼働情報を遊技種に依存しない形式の情報に変換する。また、台間カード処理機２１０は、形式を変換後の稼働情報をパルス変換機１００に送信する。詳細な処理内容は後述する。
【０２０８】
管理装置１４０は、管理センタの台情報管理装置１３０とインターネットなどの通信網を経由して接続する。台情報管理装置１３０は、遊技機２０の機種ごとの変換テーブルを管理する装置であって、変換テーブルの追加及び更新が行われると店舗の管理装置１４０に追加及び変更になった変換テーブルを配信する。このように遊技機２０の機種に応じた変換テーブルが事前に準備されていれば、遊技店の遊技機２０の入れ替え時には、台間カード処理機２１０の記憶している対応する遊技機２０の種類の情報を変更するだけで、遊技機２０の種類に応じて遊技機２０から受け付けた稼働情報の形式の変換処理が行われるので、パルス変換機１００には変換後の所定の形式の稼働情報が送信されることとなり、パルス変換機１００とホールコンピュータ９０との信号線１０２ｅの接続変更を行う必要はない。
【０２０９】
図２８に示したシステム構成では、遊技店に管理装置１４０、管理センタに台情報管理装置１３０を設置することとしたが、本発明はこれに限定されるものではない。例えば、管理装置１４０に搭載される機能を、カード管理装置４０又は会員管理装置５０などの既存の装置に搭載するようにしてもよい。また、台情報管理装置１３０についても、必ずしも別の装置において機能を実現する必要はなく、いずれかの店舗のカード管理装置４０又は会員管理装置５０などの既存の装置に台情報管理装置１３０で実現する機能を搭載するようにしてもよい。
【０２１０】
次に、図２８に示した台間カード処理機２１０及び遊技機２０の実施例４に係る内部構成を説明する。図２９は、台間カード処理機２１０及び遊技機２０の実施例４に係る内部構成を示すブロック図である。図２９に示す台間カード処理機２１０のブロック図においては、実施例１の台間カード処理機１０と同じ構成要素については、実施例１の台間カード処理機１０と同じ符号を付与し、実施例１の台間カード処理機１０と異なる構成要素について、実施例１の台間カード処理機１０と異なる符号を付与した。図２９の台間カード処理機２１０の説明では、実施例１の台間カード処理機１０と同じ符号を付与した構成要素については説明を省略し、実施例１の台間カード処理機１０と異なる符号を付与した構成要素について主に説明するものとする。
【０２１１】
実施例１の通信部１５と比較すると、実施例４の通信部１５は、カード管理装置４０とのデータ通信だけではなく、管理装置１４０とのデータ通信を行うインタフェース部である。
【０２１２】
記憶部１６については、受付稼働データ２１６ｄ、変換後稼働データ２１６ｅ及び送信済稼働データ２１６ｆが、実施例１の台間カード処理機１０の記憶部１６に比較して追加となっている。
【０２１３】
受付稼働データ２１６ｄは、遊技機２０から受け付けた稼働情報を記憶したデータである。遊技機２０から受け付けた稼働情報は、遊技機２０の種類によってビットの位置やビットのオン／オフによって示す意味などに差異がある。変換後稼働データ２１６ｅは、遊技機２０から受け付けた稼働情報のうちパルス通信に変換してホールコンピュータ９０に送信する情報に関するデータであって、変換テーブルと変換テーブルによって変換された変換後の情報とを含む。また、変換後稼働データ２１６ｅの変換後の情報は遊技機２０の機種に依存しない形式の情報である。変換テーブルは、管理装置１４０から取得したテーブルであって、受付稼働データ２１６ｄを遊技機２０の機種に依存しない形式の情報に変換するための情報を含むデータである。送信済稼働データ２１６ｆは、台間カード処理機２１０からパルス変換機１００に最後に送信した稼働情報に対応するデータである。
【０２１４】
制御部１７については、実施例４の稼働データ送信部２１７ｅは、実施例１の稼働データ送信部１７ｃはとは処理内容が異なっている。また、実施例４では、稼働データ受付部２１７ｃ、稼働データ変換部２１７ｄ、稼働データ送信部２１７ｅ及び変換テーブル管理部２１７ｆが、実施例１の制御部１７に対して追加となっている。
【０２１５】
稼働データ受付部２１７ｃは、遊技機２０からの稼働情報を受け付けて、受け付けた稼働情報に基づいて受付稼働データ２１６ｄを更新する。稼働データ変換部２１７ｄは、遊技機２０からの稼働情報を受け付けて受付稼働データ２１６ｄが更新されたならば、受付稼働データ２１６ｄと変換後稼働データ２１６ｅの変換テーブルに基づいて、変換後稼働データ２１６ｅの変換後の情報の更新を行う。稼働データ送信部２１７ｅは、稼働データ変換部２１７ｄによって更新された変換後稼働データ２１６ｅの変換後の情報に基づいて遊技機２０からの稼働情報をパルス変換機１００に送信する。稼働データ送信部２１７ｅによってパルス変換機１００に送信される情報は、遊技機２０の機種に依存しない共通の形式に変換されているので、パルス変換機１００は遊技機２０の種類を意識することなく処理を行うことができる。変換テーブル管理部２１７ｆは、管理装置１４０に変換テーブル取得要求を行うことによって、管理装置１４０から最新の変換テーブルを取得して、変換後稼働データ２１６ｅに記憶する。
【０２１６】
次に、図２９に示した台間カード処理機２１０の実施例４に係るデータ構成について図３０を用いて説明する。
【０２１７】
受付稼働データ２１６ｄは、遊技機２０より受け付けた稼働情報であって、項目名、項目番号及び該項目名及び項目番号に対応する受け付けた情報をレコードの保有項目とするデータである。図３０に示す受付稼働データ２１６ｄのビット位置に対する情報の対応付けは遊技機２０の種類によって差異があり、図３０の受付稼働データ２１６ｄのビット位置に対する情報の説明はある種類の遊技機２０に対応するものであって一例である。
【０２１８】
図３０の受付稼働データ２１６ｄの例は、項目名が「その他情報１〜５」の情報は、項目番号が「１〜５」に対応し、項目名が「アウト総通過数」で、項目番号が「６」に対する受付情報が「６５００」で、項目名が「総セーフ数」で、項目番号が「７」に対する受付情報が「３２０」で、項目名が「その他情報８〜１０」の情報は、項目番号が「８〜１０」に対応し、項目名が「遊技機状態１、状態１〜８（ｂｉｔ０〜７）」の情報は、項目番号が「１１」に対応し、項目名が「遊技機状態２、大当り１（ｂｉｔ０）」で、項目番号が「１２」に対する受付情報が「１」で、項目名が「遊技機状態２、大当り２〜８（ｂｉｔ１〜７）」で、項目番号が「１２」に対する受付情報が「０」で、項目名が「遊技機状態３、大当り＋時短中（ｂｉｔ０）」で、項目番号が「１３」に対する受付情報が「１」で、項目名が「遊技機状態３、確変中（ｂｉｔ１）」で、項目番号が「１３」に対する受付情報が「０」、項目名が「遊技機状態３、時短中（ｂｉｔ２）」で、項目番号が「１３」に対する受付情報が「１」で、項目名が「遊技機状態３、変動中（ｂｉｔ３）」で、項目番号が「１３」に対する受付情報が「０」で、項目名が「遊技機状態３、その他状態（ｂｉｔ４〜７）」で、項目番号が「１３」に対する受付情報が「０」で、項目名が「遊技機エラー状態、エラー１〜８」の情報は、項目番号が「１４」に対応し、項目名が「不正検知状態１、不正状態１〜８」の情報は、項目番号が「１５」に対応し、項目名が「不正検知状態２、ガラス枠開放（ｂｉｔ０）」で、項目番号が「１６」に対する受付情報が「０」で、項目名が「不正検知状態２、枠本体開放（ｂｉｔ１）」で、項目番号が「１６」に対する受付情報が「０」で、項目名が「不正検知状態２、その他不正（ｂｉｔ２〜７）」で、項目番号が「１６」に対する受付情報が「０」で、項目名が「不正検知情報１〜４」の情報は、項目番号が「１７〜２０」に対応し、項目名が「その他情報１〜７」の情報は、項目番号が「２１〜２７」に対応することを示している。
【０２１９】
変換後稼働データ２１６ｅは、情報種類、変換区分、受付稼働データ項目情報及び変換後情報をレコードの保有項目とするデータである。受付稼働データ項目情報は、変換元である受付稼働データ２１６ｄの項目を指定する情報であって、複数の項目を指定することができる。それぞれの項目の指定の情報には、受付稼働データ２１６ｄの項目番号とビット位置とを含む。変更区分は、コード化された情報であって、「０」は受付稼働データ項目情報に指定された受付稼働データ２１６ｄを変換しないことを示し、「１」は受付稼働データ項目情報に指定された受付稼働データ２１６ｄをビットの情報に従って０又は１を変換後の情報にすることを示し、「２」は受付稼働データ項目情報に指定された受付稼働データ２１６ｄの複数ビットの情報の論理和を変換後の情報にすることを示し、「３」は受付稼働データ項目情報に指定された受付稼働データ２１６ｄの複数ビットの情報の論理積を変換後の情報にすることを示す。変換区分及び受付稼働データ項目情報が、前記の変換テーブルであって、変換テーブル管理部２１７ｆが、変換テーブル取得要求を管理装置１４０に要求することによって取得されるデータによって更新される。
【０２２０】
図３０の変換後稼働データ２１６ｅの例は、情報種類が「打込情報」の情報に対する変換後情報は、受付稼働データ２１６ｄの項目番号「６」の項目を、変換区分「０」が示す変換を行わずにそのまま移行した情報であり、「６５００」であることを示している。情報種類が「賞出情報」の情報に対する変換後情報は、受付稼働データ２１６ｄの項目番号「７」の項目を、変換区分「０」が示す変換を行わずにそのまま移行した情報であり、「３２０」であることを示している。情報種類が「大当情報」の情報に対する変換後情報は、受付稼働データ２１６ｄの項目番号「１２」の項目のビット位置「０」の情報を、変換区分「１」が示すビット情報に従って０又は１に変換した情報であり、「１」であることを示している。情報種類が「不正検知情報１」の情報に対する変換後情報は、受付稼働データ２１６ｄの項目番号「１５」の項目のビット位置「０」の情報と項目番号「１５」の項目のビット位置「１」の情報とを、変換区分「２」が示す複数ビットの論理和への変換した情報であり、「０」であることを示している。情報種類が「不正検知情報２」の情報に対する変換後情報は、受付稼働データ２１６ｄの項目番号「１６」の項目のビット位置「０」の情報と項目番号「１６」の項目のビット位置「０」の情報とを、変換区分「３」が示す複数ビットの論理積への変換した情報であり、「０」であることを示している。
【０２２１】
送信済稼働データ２１６ｆは、情報種類と、パルス変換機１００に最後に送信したときの稼働情報と、該情報種類に対する情報をパルス変換機１００に送信する条件である情報送信条件とをレコードの保有項目とするデータである。情報送信条件はコード化されたデータであって、「１」は遊技機２０から状態を受け付ける都度パルス変換機１００に送信することを示し、「２」は遊技機２０から受け付けた内容が前回送信時の内容から変更になった場合にパルス変換機１００に送信することを示し、「１０」は遊技機２０から受け付けた内容が最後に当該情報の送信を行った時と比較して１以上カウントアップされていた場合にカウントアップ数分の情報をパルス変換機１００に送信することを示し、「１１」は遊技機２０から受け付けた内容が最後に当該情報の送信を行った時と比較して１０カウントアップされていた場合にパルス変換機１００に送信することを示す。
【０２２２】
図３０の送信済稼働データ２１６ｆの例は、情報種類が「打込情報」の情報は、パルス変換機１００に最後に送信したときの情報が「６５００」で、情報送信条件が「１１」であって、遊技機２０から受け付けた内容が最後に当該情報の送信を行った時と比較して１０カウントアップされていた場合にパルス変換機１００に送信することを示している。また、情報種類が「賞出情報」の情報は、パルス変換機１００に最後に送信したときの情報が「３２０」で、情報送信条件が「１０」であって、遊技機２０から受け付けた内容が最後に当該情報の送信を行った時と比較して１以上カウントアップされていた場合にカウントアップ数分の情報をパルス変換機１００に送信することを示している。また、情報種類が「大当情報」の情報は、パルス変換機１００に最後に送信したときの情報が「１」で、情報送信条件が「１」であって、遊技機２０から状態を受け付ける都度パルス変換機１００に情報を送信することを示している。また、情報種類が「不正検知情報１」の情報は、パルス変換機１００に最後に送信したときの情報が「０」で、情報送信条件が「２」であって、遊技機２０から受け付けた内容が前回送信時の内容から変更になった場合にパルス変換機１００に送信することを示している。また、情報種類が「不正検知情報２」の情報は、パルス変換機１００に最後に送信したときの情報が「０」で、情報送信条件が「２」であって、遊技機２０から受け付けた内容が前回送信時の内容から変更になった場合にパルス変換機１００に送信することを示している。
【０２２３】
図３０の送信済稼働データ２１６ｆの設定の例は、ホールコンピュータ９０が封入式の遊技機２０が導入される以前の開放式の遊技機１２０が通知していたデータについては、開放式の遊技機１２０と同じタイミングで送信できるようにしたものであるが、この設定に限定されるものではない。例えば、情報送信条件に都度送信を示す「１」を設定することによって、情報送信条件に都度送信を設定した情報については遊技機２０から情報を取得した都度、ほぼリアルタイムな情報をホールコンピュータ９０に送信することも可能である。
【０２２４】
次に、遊技機２０から打込情報、賞出情報及び不正検知情報などの遊技機２０の稼働情報を受け付けたときの図２８に示した台間カード処理機２１０における処理手順を説明する。図３１は、遊技機２０から稼働情報を受け付けたときの台間カード処理機２１０における処理手順を示すフローチャートである。
【０２２５】
稼働データ受付部２１７ｃは、受け付けた稼働データを受付稼働データ２１６ｄに記憶する（ステップＳ７０１）。稼働データ変換部２１７ｄは、ステップＳ７０１で受け付けた受付稼働データ２１６ｄ及び変換後稼働データ２１６ｅに含まれる変換テーブルに基づいて、変換後稼働データ２１６ｅの変換後情報を生成する（ステップＳ７０２）。
【０２２６】
稼働データ送信部２１７ｅは、変換後稼働データ２１６ｅの変換後情報と、送信済稼働データ２１６ｆの最終送信時情報と、送信済稼働データ２１６ｆの情報送信条件とに基づいて、未判定の情報種類に対する送信要否の判定を行う（ステップＳ７０３）。ステップＳ７０３の判定処理において、判定対象となった情報種類の情報についてパルス変換機１００に送信する必要があると判定した場合（ステップＳ７０４；Ｙｅｓ）には、稼働データ送信部２１７ｅは、判定対象となった情報種類に対応する情報を送信用のデータとして編集する（ステップＳ７０５）。また、ステップＳ７０３の判定処理において、判定対象となった情報種類の情報をパルス変換機１００に送信する必要がないと判定した場合（ステップＳ７０４；Ｎｏ）には、ステップＳ７０５の送信用データの編集処理をスキップしてステップＳ７０６に移行する。ステップＳ７０２で生成した、変換後稼働データ２１６ｅの変換後情報のうちステップＳ７０３の送信の要否の判定が行われていない情報がまだある場合（ステップＳ７０６；Ｙｅｓ）には、ステップＳ７０３に戻る。
【０２２７】
ステップＳ７０２で生成した、変換後稼働データ２１６ｅの変換後情報のうちステップＳ７０３の送信の要否の判定が行われていない情報がない場合（ステップＳ７０６；Ｎｏ）で、変換後稼働データ２１６ｅの変換後情報のいずれかの情報がパルス変換機１００に送信する必要があると判定された場合（ステップＳ７０７；Ｙｅｓ）には、稼働データ送信部２１７ｅは、ステップＳ７０５で編集したパルス変換機１００への送信用のデータを、パルス変換機１００に送信して（ステップＳ７０８）、処理を終了する。また、変換後稼働データ２１６ｅの変換後情報のいずれの情報もパルス変換機１００に送信する必要がないと判定された場合（ステップＳ７０７；Ｎｏ）には、ステップＳ７０８の処理をスキップして処理を終了する。
【０２２８】
上述してきたように、本実施例４では、台間カード処理機２１０は、遊技機２０から受け付けた稼働情報のうち現行のホールコンピュータ９０に対して通知する情報を、遊技機２０の種類に応じた変換テーブルに従って遊技機２０の種類に依存しない共通の形式に変換して、パルス変換機１００に送信するようにした。また、パルス変換機１００は、実施例１と同様に台間カード処理機１０からシリアル通信で受け付けた通知をパルス通信に変換してホールコンピュータ９０に通知するようにしたので、新たな形式の情報を出力する複数種類の遊技機２０の導入にあたり、形式の異なる複数種類の遊技機２０の稼働情報を受け付けて、既存のホール設備が収集している情報を支障なく提供するとともに、遊技機２０が出力する新たな形式の情報を好適に収集することができる。
【０２２９】
なお、上述の実施例４では、遊技機２０の種類に応じた処理を台間カード処理機２１０で行うこととしたが、本発明はこれに限定されるものではない。例えば、パルス変換機１００の起動時に台間カード処理機２１０から変換後稼働データ２１６ｅに含まれる変換テーブルの情報を送信するものとして、台間カード処理機２１０は遊技機２０から受け付けた情報の形式を変更せずにパルス変換機１００に送信し、パルス変換機１００で予め受け付けた変換テーブルに従って遊技機２０の種類に応じたデータ形式の変換を行うようにしてもよい。
【０２３０】
また、上述の実施例４では、事前に遊技機２０の機種に応じた稼働情報の変換テーブルを台情報管理装置１３０に登録しておくことによって、台間カード処理機２１０が遊技機２０から受け付けた稼働情報を適切に扱うことができるという説明を行ってきたが、本発明はこれに限定されるものではない。例えば、台情報管理装置１３０にデフォルトの変換テーブルを登録しておき、管理装置１４０は、台間カード処理機２１０から受け付けた変換テーブル取得要求に含まれる機種に対する変換テーブルが未登録な場合には、デフォルトの変換テーブルを返信するようにして、台間カード処理機２１０は、遊技機２０からの稼働情報を受け付けた変換テーブルに基づいて変換した結果を蓄積するようにしてもよい。さらに、デフォルトの変換テーブルにより変換されて蓄積された過去の情報は、対応する機種に対する変換テーブルが登録された時点で、デフォルトの変換テーブルの内容と機種に応じた変換テーブルとに基づいて、対応する機種に応じた変換を行った本来あるべき形式の情報に変更することができるようにしてもよい。これによって、新たな機種の遊技機２０の導入時に、この機種に応じた変換テーブルが準備できなくとも、変換テーブルの設定が行われた時点で、既に蓄積済みのデータも含めて新たな機種に対する本来あるべき形式の情報に移行することができる。
【０２３１】
また、上述の実施例１〜実施例４では、パルス変換機１００、２００、３００を台間カード処理機１０、２１０、３１０若しくは遊技機２０のブロック（島など）単位で設置することとしたが、本発明はこれに限定されるものではない。例えば、パルス変換機１００、２００、３００をホールコンピュータ９０の近傍に設置してもよい。また、ホールコンピュータ９０の近傍に店舗内の全ての台間カード処理機１０、２１０、３１０とのシリアル通信を収容することのできるパルス変換機を１台設置するようにしてもよい。また、遊技機２０の機種ごと、あるいは機種や島とは関係なく設定されるグループ（設置される階層やコーナーなどに対応して設けられる）に対応してパルス変換機を設置してもよい。
【０２３２】
また、上述の実施例１〜実施例４では、封入式の遊技機２０に併設される台間カード処理機１０、２１０、３１０には過渡期のホールコンピュータ９０で使用するパルス信号の出力を行うことのできる端子と、封入式の遊技機２０に対応したホールコンピュータ３９０で使用するシリアル通信を行う端子を設けることを前提に説明を行ったが、本発明はこれに限定されるものではない。台間カード処理機１０、２１０、３１０には封入式の遊技機２０に対応したホールコンピュータ３９０との接続で使用するシリアル通信のみを設け、過渡期のホールコンピュータ９０に対してパルス信号により通知しなければならない情報については全てパルス変換機１００、２００、３００を介して通知するようにしてもよい。
【０２３３】
また、上述の実施例１〜実施例４には、カード管理装置４０と通信可能な台間カード処理機１０、２１０、３１０を示したが、本発明はこれに限定されるものではなく、提供メーカーの異なる台間カード処理機が複数種類混在する場合にも適用可能である。この場合、台間カード処理機からの信号を上位に出力するパルス変換機１００、２００、３００は、提供メーカーに応じて異なる場合がある台間カード処理機からの出力信号から同一の内容を示す信号を抽出し、共通の信号出力形式に変換してホールコンピュータ等の上位装置に出力できる機能を有していることが好ましい。この場合、パルス変換機１００、２００、３００は、台間カード処理機の種別を示す識別情報と、台間カード処理機から出力される出力信号の内容を対応付けた対応付情報を記憶している。このような構成とした場合、上位装置側は、台間カード処理機の種別に関係なく、共通の情報を収集することができるため、制御負担が軽減される。
【０２３４】
また、上述の実施例１〜実施例４は、パルス変換機１００、２００、３００が上位装置と通信を行う例を示したが、本発明はこれに限定されるものではなく、遊技機２０ごとあるいは遊技機２０複数台ごとに１台設けられる台情報収集装置を設け、パルス変換機１００、２００、３００からの信号はこの台情報収集装置を介して上位装置に送信されるようにしてもよい。また、実施例１〜実施例４では、台間カード処理機１０、２１０、３１０とカード管理装置４０あるいは会員管理装置５０との通信は、島コントローラ３０を介して行われる例を示しているが、本発明はこれに限定されるものではなく、台間カード処理機１０、２１０、３１０とカード管理装置４０あるいは会員管理装置５０との通信をパルス変換機１００、２００、３００を介して（台間カード処理機１０、２１０、３１０からの通信を単に上位装置にスルーする通信線である場合も含む）行うようにしてもよい。このようにすれば、台間カード処理機１０、２１０、３１０から外部に出力される信号線を、パルス変換機に集約することができるため、配線の複雑化を防ぎ、作業工数の低減や省スペース化を図ることができる。
【０２３５】
また、上述の実施例１〜実施例４では、遊技玉を遊技媒体とする遊技機２０及び該遊技機２０に対応する台間装置を含む遊技システムに関する実施例を説明したが、本発明はこれに限定されるものではなく、遊技玉以外の任意の遊技媒体を使用する遊技機２０及び該遊技機２０に対応する台間装置を含む遊技システムについても適用可能である。
【０２３６】
また、上述の実施例１〜実施例４で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０２３７】
以上のように、本発明に係る中継装置及び通信中継方法は、新たな形式の情報を出力する遊技機の導入にあたり、既存のホール設備が収集している情報を支障なく提供するとともに、遊技機が出力する新たな形式の情報を収集することに適している。
【符号の説明】
【０２３８】
１０、１１０、２１０、３１０  台間カード処理機
１０ａ  遊技機管理基板
１０ｂ  遊技機表示操作部
１０ｃ  電源ハーネス
１０ｄ  ＵＳＢ充電ケーブル
１０ｅ  ＬＣＤ通信用ケーブル
１０ｆ  シリアル通信ケーブル
１０ｇ  電源ボックス
１０ｈ  取付部材
１０ｉ、１０ｊ  螺子止め部
１０ｋ、１０ｍ  第１の螺子止め部
１０ｎ、１０ｐ  第２の螺子止め部
１１  状態表示部
１２  紙幣搬送部
１２ａ  紙幣挿入口
１３  表示操作部
１４  リーダライタ
１４ａ  カード挿入口
１４ｂ  かざし部
１５、２３  通信部
１６、１０４、２０４  記憶部
１６ａ  カードＩＤ
１６ｂ  有価価値データ
１６ｃ、１０４ａ、２０４ａ、３０４ａ、３１６ｃ  稼働データ送信パラメータ
１７、１０５、２０５  制御部
１７ａ  データ管理部
１７ｂ  レート設定処理部
１７ｃ、２１７ｅ  稼働データ送信部
１８、１０２  パルス出力部
１８ａ  シリアル・パルス出力部
１８ｂ、１０２ｄ  パルス出力
１９  シリアル通信部
１９ａ  シリアル出力部
２０、１２０  遊技機
２５  遊技制御部
２６  遊技玉制御部
２６ａ  遊技玉メモリ
３０  島コントローラ
４０  カード管理装置
４５ａ  カード管理データ
５０  会員管理装置
５５ａ  会員管理データ
６０  精算機
７０  景品管理装置
８０  通信回線
９０、２９０、３９０  ホールコンピュータ
１００、２００、３００  パルス変換機
１０１、２０１  各台装置通信部
１０１ａ  シリアル入力
１０２ａ  パルス出力回路
１０２ｂ  断線抵抗切替回路
１０２ｃ  接続検知回路
１０２ｅ、２０６ｅ、２０７ｅ、２０８ｅ  信号線
１０２ｆ  断線抵抗切替スイッチ
１０５ａ、２０５ａ、３０５ａ  データ中継処理部
１０５ｂ、２０５ｂ、３０５ｂ  上位通信状態監視部
１０５ｃ、２０５ｃ、３０５ｃ  下位通信状態監視部
１３０  台情報管理装置
１４０  管理装置
２０６  第二パルス出力部
２０７  第三パルス出力部
２０８  第四パルス出力部
２１６ｄ  受付稼働データ
２１６ｅ  変換後稼働データ
２１６ｆ  送信済稼働データ
２１７ｃ  稼働データ受付部
２１７ｄ  稼働データ変換部
２１７ｆ  変換テーブル管理部
３０３  ホールコン通信部
３０３ａ  シリアル出力
３１１  ノイズ防止カバー
３１１ａ  取り付け板
３１１ｂ  カバー
【図１０】
2015142724.tif 000003
【図１９】
2015142724.tif 000004
【図２２】
2015142724.tif 000005
【図３０】
2015142724.tif 000006
【図１】
2015142724.tif 000007
【図２】
2015142724.tif 000008
【図３】
2015142724.tif 000009
【図４】
2015142724.tif 000010
【図５】
2015142724.tif 000011
【図６】
2015142724.tif 000012
【図７】
2015142724.tif 000013
【図８】
2015142724.tif 000014
【図９】
2015142724.tif 000015
【図１１】
2015142724.tif 000016
【図１２】
2015142724.tif 000017
【図１３】
2015142724.tif 000018
【図１４】
2015142724.tif 000019
【図１５】
2015142724.tif 000020
【図１６】
2015142724.tif 000021
【図１７】
2015142724.tif 000022
【図１８】
2015142724.tif 000023
【図２０】
2015142724.tif 000024
【図２１】
2015142724.tif 000025
【図２３】
2015142724.tif 000026
【図２４】
2015142724.tif 000027
【図２５】
2015142724.tif 000028
【図２６】
2015142724.tif 000029
【図２７】
2015142724.tif 000030
【図２８】
2015142724.tif 000031
【図２９】
2015142724.tif 000032
【図３１】
2015142724.tif 000033